(57)【特許請求の範囲】
【請求項１】
モバイルデバイスが実行する、ワイヤレス通信のための方法であって、
デバイスツーデバイス（Ｄ２Ｄ）近接サービス通信のために構成された１つまたは複数の周波数帯域を識別することと、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定することであって、前記周波数帯域組合せパラメータは非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示し、前記周波数帯域組合せパラメータについての能力低減記録を備える、決定することと、
サービングセルに前記近接サービス記録を送信することとを備える、方法。
【請求項２】
前記識別された１つまたは複数の周波数帯域に基づいて、近接サービス周波数帯域リストを決定することと、
サービングセルに、前記近接サービス周波数帯域リストを示す情報を備える近接サービス能力記録を送ることとをさらに備える、請求項１に記載の方法。
【請求項３】
前記近接サービス能力記録を決定することは、
Ｄ２Ｄ近接サービス通信に関連する１つまたは複数の近接サービス通信パラメータを決定することをさらに備える、請求項２に記載の方法。
【請求項４】
前記１つまたは複数の近接サービスパラメータが、Ｄ２Ｄ発見タイプ能力、非同期Ｄ２Ｄ発見能力、カバレージ外発見能力、Ｄ２Ｄ通信モード能力、あるいはそれらの組合せのうちの１つまたは複数を備えると決定することをさらに備える、請求項３に記載の方法。
【請求項５】
前記近接サービス記録を決定することは、
前記周波数帯域組合せパラメータを使用して前記非Ｄ２Ｄ通信のための第１の能力構成を決定することと、
前記識別された１つまたは複数の周波数帯域に基づいて、前記非Ｄ２Ｄ通信のための第２の能力構成を決定することとを備える、請求項１に記載の方法。
【請求項６】
前記第２の能力構成を決定することは、
前記識別された１つまたは複数の周波数帯域について、前記周波数帯域組合せパラメータについての前記能力低減記録を決定することを備える、請求項５に記載の方法。
【請求項７】
前記能力低減記録は、前記識別された１つまたは複数の周波数帯域のうちの少なくとも１つがＤ２Ｄ近接サービス通信のために使用されるときの低減された非Ｄ２Ｄ通信能力を示す情報を備える、請求項６に記載の方法。
【請求項８】
前記能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータ、あるいはそれらの組合せのうちの１つまたは複数を備える、請求項６に記載の方法。
【請求項９】
サービングセルに、Ｄ２Ｄ近接サービスがアクティブであることを示す情報を含む開始メッセージを送ることをさらに備える、請求項１に記載の方法。
【請求項１０】
前記開始メッセージは、前記周波数帯域組合せパラメータについての更新された近接サービス記録をさらに備え、前記更新された近接サービス記録は、前記アクティブなＤ２Ｄ近接サービス通信のために使用される前記識別された１つまたは複数の周波数帯域に基づく、請求項９に記載の方法。
【請求項１１】
Ｄ２Ｄ近接サービスがアクティブであることに基づいて、非Ｄ２Ｄ通信のための低減された能力を決定することをさらに備える、請求項９に記載の方法。
【請求項１２】
前記サービングセルから、非Ｄ２Ｄ通信のための前記低減された能力のために利用するためのリソースの指示を備える無線リソース制御（ＲＲＣ）接続再構成メッセージを受信することをさらに備える、請求項１１に記載の方法。
【請求項１３】
ＲＲＣ接続再構成プロシージャ中の所定の時間期間の間、非Ｄ２Ｄ通信を休止することをさらに備える、請求項１２に記載の方法。
【請求項１４】
Ｄ２Ｄ近接サービス通信に関連するリソースのプールが与えられたとき、Ｄ２Ｄ近接サービスがアクティブであることに基づいて、非Ｄ２Ｄ通信のための低減された能力構成を決定することをさらに備える、請求項９に記載の方法。
【請求項１５】
無線周波数同調動作を行うために、所定の時間期間の間、非Ｄ２Ｄ通信を休止すること、ここにおいて、前記休止することは、Ｄ２Ｄ近接サービス通信のためのリソースの前記プールにアクセスする前および後に行われる、をさらに備える、請求項１４に記載の方法。
【請求項１６】
サービングセルに、Ｄ２Ｄ近接サービスが非アクティブであることを示す情報を含む停止メッセージを送ることをさらに備える、請求項１に記載の方法。
【請求項１７】
前記停止メッセージは、前記周波数帯域組合せパラメータについての更新された近接サービス記録をさらに備え、前記更新された近接サービス記録は、前記非アクティブなＤ２Ｄ近接サービス通信により利用可能である前記識別された１つまたは複数の周波数帯域に基づく、請求項１６に記載の方法。
【請求項１８】
Ｄ２Ｄ近接サービスが非アクティブであることに基づいて、Ｄ２Ｄ近接サービス通信のための完全能力構成を決定することをさらに備える、請求項１６に記の方法。
【請求項１９】
前記非Ｄ２Ｄ通信は、キャリアアグリゲーション通信を備える、請求項１に記載の方法。
【請求項２０】
プロセッサと、
前記プロセッサと電子通信しているメモリと、
前記メモリに記憶されている命令とを備え、前記命令は、
デバイスツーデバイス（Ｄ２Ｄ）近接サービス通信のために構成された１つまたは複数の周波数帯域を識別することと、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定することであって、前記周波数帯域組合せパラメータが非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示し、前記周波数帯域組合せパラメータについての能力低減記録を備える、決定することと、
サービングセルに前記近接サービス記録を送信することとを行うように前記プロセッサによって実行可能である、ワイヤレス通信のための装置。
【請求項２１】
前記識別された１つまたは複数の周波数帯域に基づいて、近接サービス周波数帯域リストを決定することと、
サービングセルに、前記近接サービス周波数帯域リストを示す情報を備える近接サービス能力記録を送ることとを行うように前記プロセッサによって実行可能な命令をさらに備える、請求項２０に記載の装置。
【請求項２２】
前記近接サービス能力記録を決定するように実行可能な前記命令は、
Ｄ２Ｄ近接サービス通信に関連する１つまたは複数の近接サービス通信パラメータを決定することを行うようにさらに実行可能である、請求項２１に記載の装置。
【請求項２３】
前記１つまたは複数の近接サービスパラメータは、Ｄ２Ｄ発見タイプ能力、非同期Ｄ２Ｄ発見能力、カバレージ外発見能力、Ｄ２Ｄ通信モード能力、あるいはそれらの組合せのうちの１つまたは複数を備える、請求項２２に記載の装置。
【請求項２４】
前記近接サービス記録を決定するように実行可能な前記命令は、
前記周波数帯域組合せパラメータを使用して前記非Ｄ２Ｄ通信のための第１の能力構成を決定することと、
前記識別された１つまたは複数の周波数帯域に基づいて、前記非Ｄ２Ｄ通信のための第２の能力構成を決定することとを行うようにさらに実行可能である、請求項２０に記載の装置。
【請求項２５】
前記第２の能力構成を決定するように実行可能な前記命令は、
前記識別された１つまたは複数の周波数帯域について、前記周波数帯域組合せパラメータについての前記能力低減記録を決定することを行うようにさらに実行可能である、請求項２４に記載の装置。
【請求項２６】
前記能力低減記録は、前記識別された１つまたは複数の周波数帯域のうちの少なくとも１つがＤ２Ｄ近接サービス通信のために使用されるときの低減された非Ｄ２Ｄ通信能力を示す情報を備える、請求項２５に記載の装置。
【請求項２７】
前記能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータ、あるいはそれらの組合せのうちの１つまたは複数を備える、請求項２５に記載の装置。
【請求項２８】
サービングセルに、Ｄ２Ｄ近接サービスがアクティブであることを示す情報を含む開始メッセージを送ることを行うように前記プロセッサによって実行可能な命令をさらに備える、請求項２０に記載の装置。
【請求項２９】
デバイスツーデバイス（Ｄ２Ｄ）近接サービス通信のために構成された１つまたは複数の周波数帯域を識別するための手段と、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定するための手段であって、前記周波数帯域組合せパラメータは非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示し、前記周波数帯域組合せパラメータについての能力低減記録を備える、決定するための手段と、
サービングセルに前記近接サービス記録を送信するための手段とを備える、ワイヤレス通信のための装置。
【請求項３０】
前記識別された１つまたは複数の周波数帯域に基づいて、近接サービス周波数帯域リストを決定するための手段と、
サービングセルに、前記近接サービス周波数帯域リストを示す情報を備える近接サービス能力記録を送るための手段とをさらに備える、請求項２９に記載の装置。
【請求項３１】
前記近接サービス能力記録を決定するための前記手段は、
Ｄ２Ｄ近接サービス通信に関連する１つまたは複数の近接サービス通信パラメータを決定するための手段をさらに備える、請求項３０に記載の装置。
【請求項３２】
前記１つまたは複数の近接サービスパラメータが、Ｄ２Ｄ発見タイプ能力、非同期Ｄ２Ｄ発見能力、カバレージ外発見能力、Ｄ２Ｄ通信モード能力、あるいはそれらの組合せのうちの１つまたは複数を備える、請求項３１に記載の装置。
【請求項３３】
前記近接サービス記録を決定するための前記手段は、
前記周波数帯域組合せパラメータを使用して前記非Ｄ２Ｄ通信のための第１の能力構成を決定するための手段と、
前記識別された１つまたは複数の周波数帯域に基づいて、前記非Ｄ２Ｄ通信のための第２の能力構成を決定するための手段とを備える、請求項２９に記載の装置。
【請求項３４】
ワイヤレス通信のためのコンピュータ実行可能なコードを備えるコンピュータプログラムであって、前記コードは、
デバイスツーデバイス（Ｄ２Ｄ）近接サービス通信のために構成された１つまたは複数の周波数帯域を識別することと、
前記識別された１つまたは複数の周波数帯域に基づいて、前記識別された１つまたは複数の周波数帯域に関連する通信能力を示す近接サービス記録を、周波数帯域組合せパラメータに少なくとも部分的に基づいて、決定することであって、前記周波数帯域組合せパラメータは非Ｄ２Ｄ通信のために利用可能な１つまたは複数の周波数帯域の組合せに関連し、ここにおいて、前記近接サービス記録は、Ｄ２Ｄ近接サービス通信がアクティブであるときに利用可能な非Ｄ２Ｄ通信機能を示し、前記周波数帯域組合せパラメータについての能力低減記録を備える、決定することと、
サービングセルに前記近接サービス記録を送信することとを行うようにプロセッサによって実行可能である、コンピュータプログラム。
【請求項３５】
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信することであって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示し、前記周波数帯域組合せパラメータについての能力低減記録を備える、受信することと、
前記近接サービス記録に基づいて、前記モバイルデバイスの非Ｄ２Ｄ通信のための能力構成を決定することとを備える、ワイヤレス通信のための方法。
【請求項３６】
前記能力低減記録は、Ｄ２Ｄ近接サービス通信に関連する１つまたは複数の周波数帯域のうちの少なくとも１つが使用中であるときの低減された非Ｄ２Ｄ通信能力を示す情報を備える、請求項３５に記載の方法。
【請求項３７】
前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、請求項３６に記載の方法。
【請求項３８】
前記モバイルデバイスから、Ｄ２Ｄ近接サービス通信がアクティブであるという開始メッセージを受信することをさらに備える、請求項３５に記載の方法。
【請求項３９】
前記開始メッセージは、前記周波数帯域組合せパラメータについての更新された近接サービス記録をさらに備え、前記更新された近接サービス記録は、前記アクティブなＤ２Ｄ近接サービス通信のために使用される１つまたは複数の周波数帯域に基づく、請求項３８に記載の方法。
【請求項４０】
前記Ｄ２Ｄ近接サービス通信がアクティブであることに基づいて、非Ｄ２Ｄ通信のための低減された能力を決定することをさらに備える、請求項３８に記載の方法。
【請求項４１】
前記モバイルデバイスから、Ｄ２Ｄ近接サービス通信が非アクティブであるという停止メッセージを受信することをさらに備える、請求項３５に記載の方法。
【請求項４２】
前記停止メッセージは、前記周波数帯域組合せパラメータについての更新された近接サービス記録をさらに備え、前記更新された近接サービス記録は、前記非アクティブなＤ２Ｄ近接サービス通信により利用可能である、Ｄ２Ｄ近接サービス通信に関連する１つまたは複数の周波数帯域に基づく、請求項４１に記載の方法。
【請求項４３】
前記Ｄ２Ｄ近接サービス通信が非アクティブであることに基づいて、非Ｄ２Ｄ通信のための完全能力構成を決定することをさらに備える、請求項４１に記載の方法。
【請求項４４】
前記近接サービス記録に基づいて、前記モバイルデバイスのための１つまたは複数のリソースをスケジュールすることをさらに備える、請求項３５に記載の方法。
【請求項４５】
前記近接サービス記録を示す情報は、前記モバイルデバイスから受信される、請求項３５に記載の方法。
【請求項４６】
前記近接サービス記録を示す情報は、ネットワークエンティティから受信される、請求項３５に記載の方法。
【請求項４７】
近接サービス周波数帯域リストと、１つまたは複数の近接サービス通信パラメータとを示す情報を備える近接サービス能力記録を受信することをさらに備える、請求項３５に記載の方法。
【請求項４８】
前記１つまたは複数の近接サービスパラメータは、Ｄ２Ｄ発見タイプ能力と、非同期Ｄ２Ｄ発見能力と、カバレージ外発見能力と、Ｄ２Ｄ通信モード能力とのうちの１つまたは複数を備える、請求項４７に記載の方法。
【請求項４９】
プロセッサと、
前記プロセッサと電子通信しているメモリと、
前記メモリに記憶されている命令とを備え、前記命令は、
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信することであって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示し、前記周波数帯域組合せパラメータについての能力低減記録を備える、受信することと、
前記近接サービス記録に基づいて、前記モバイルデバイスの非Ｄ２Ｄ通信のための能力構成を決定することとを行うように前記プロセッサによって実行可能である、ワイヤレス通信のための装置。
【請求項５０】
前記能力低減記録は、Ｄ２Ｄ近接サービス通信に関連する１つまたは複数の周波数帯域のうちの少なくとも１つが使用中であるときの低減された非Ｄ２Ｄ通信能力を示す情報を備える、請求項４９に記載の装置。
【請求項５１】
前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、請求項５０に記載の装置。
【請求項５２】
前記モバイルデバイスから、Ｄ２Ｄ近接サービス通信がアクティブであるという開始メッセージを受信することを行うように前記プロセッサによって実行可能な命令をさらに備える、請求項４９に記載の装置。
【請求項５３】
前記開始メッセージは、前記周波数帯域組合せパラメータについての更新された近接サービス記録をさらに備え、前記更新された近接サービス記録は、前記アクティブなＤ２Ｄ近接サービス通信のために使用される１つまたは複数の周波数帯域に基づく、請求項５２に記載の装置。
【請求項５４】
前記Ｄ２Ｄ近接サービス通信がアクティブであることに基づいて、非Ｄ２Ｄ通信のための低減された能力を決定することを行うように前記プロセッサによって実行可能な命令をさらに備える、請求項５２に記載の装置。
【請求項５５】
前記モバイルデバイスから、Ｄ２Ｄ近接サービス通信が非アクティブであるという停止メッセージを受信することを行うように前記プロセッサによって実行可能な命令をさらに備える、請求項４９に記載の装置。
【請求項５６】
前記停止メッセージは、前記周波数帯域組合せパラメータについての更新された近接サービス記録をさらに備え、前記更新された近接サービス記録は、前記非アクティブなＤ２Ｄ近接サービス通信により利用可能である、Ｄ２Ｄ近接サービス通信に関連する１つまたは複数の周波数帯域に基づく、請求項５５に記載の装置。
【請求項５７】
前記Ｄ２Ｄ近接サービス通信が非アクティブであることに基づいて、非Ｄ２Ｄ通信のための完全能力構成を決定することを行うように前記プロセッサによって実行可能な命令をさらに備える、請求項５５に記載の装置。
【請求項５８】
前記近接サービス記録に基づいて、前記モバイルデバイスのための１つまたは複数のリソースをスケジュールすることを行うように前記プロセッサによって実行可能な命令をさらに備える、請求項４９に記載の装置。
【請求項５９】
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信するための手段であって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示し、前記周波数帯域組合せパラメータについての能力低減記録を備える、受信するための手段と、
前記近接サービス記録に基づいて、前記モバイルデバイスの非Ｄ２Ｄ通信のための能力構成を決定するための手段とを備える、ワイヤレス通信のための装置。
【請求項６０】
前記能力低減記録は、Ｄ２Ｄ近接サービス通信に関連する１つまたは複数の周波数帯域のうちの少なくとも１つが使用中であるときの低減された非Ｄ２Ｄ通信能力を示す情報を備える、請求項５９に記載の装置。
【請求項６１】
前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、請求項６０に記載の装置。
【請求項６２】
前記モバイルデバイスから、Ｄ２Ｄ近接サービス通信がアクティブであるという開始メッセージを受信するための手段をさらに備える、請求項５９に記載の装置。
【請求項６３】
ワイヤレス通信のためのコンピュータ実行可能なコードを備えるコンピュータプログラムであって、前記コードは、
サービングセルにおいて、周波数帯域組合せパラメータに少なくとも部分的に基づくデバイスツーデバイス（Ｄ２Ｄ）近接サービス通信のために構成された１つまたは複数の周波数帯域に関連する通信能力を示す近接サービス記録を受信することであって、前記周波数帯域組合せパラメータはモバイルデバイスのための非Ｄ２Ｄ通信のために利用可能な１つまたは複数の周波数帯域の組合せに関連し、ここにおいて、前記近接サービス記録は、Ｄ２Ｄ近接サービス通信がアクティブであるときに前記モバイルデバイスのために利用可能な非Ｄ２Ｄ通信機能を示し、前記周波数帯域組合せパラメータについての能力低減記録を備える、受信することと、
前記近接サービス記録に基づいて、前記モバイルデバイスの非Ｄ２Ｄ通信のための能力構成を決定することとを行うようにプロセッサによって実行可能である、コンピュータプログラム。
【発明の詳細な説明】
【相互参照】
【０００１】
[0001]  本特許出願は、２０１５年８月６日に出願され、「Device-To-Device Capability Signaling」と題する、Ｂａｇｈｅｌらによる米国特許出願第１４／８１９，８４３号、および２０１４年８月７日に出願され、「Device-To-Device Capability Signaling」と題する、Ｂａｇｈｅｌらによる米国仮特許出願第６２／０３４，５２０号の優先権を主張するもので、これらの各々は本出願の譲受人に譲渡されている。
【技術分野】
【０００２】
[0002]  本開示は、例えば、ワイヤレス通信システムに関し、より詳細には、デバイスツーデバイス能力シグナリングの実施に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、各々が、場合によってはユーザ機器（ＵＥ）として知られる複数の通信デバイスのための通信を同時にサポートする、いくつかの基地局を含み得る。基地局は、（例えば、基地局からＵＥへの送信のために）ダウンリンクチャネル、および（例えば、ＵＥから基地局への送信のために）アップリンクチャネル上で、ＵＥと通信し得る。ＵＥは、例えば、データレートを増加させるためにＵＥにおいて組み合わせられる複数のキャリアを一般に利用するキャリアアグリゲーション（ＣＡ：carrier aggregation）技法を利用して、１つまたは複数の基地局と通信し得る。ＵＥは、ＣＡを完全に実施するために、ＵＥリソース（例えば、送信チェーン、受信チェーンなど）を利用し得る。
【０００５】
[0005]  デバイスツーデバイス（Ｄ２Ｄ）通信は、ＵＥ間の直接的なワイヤレス通信に関与する。Ｄ２Ｄ通信は、同じ地理的エリア内のＵＥ間で行われるべき近接サービス機能(proximity service functions)、例えば、定義された地理的エリア内の告知、ショッピングモール内の販売情報などを提供し得る。しかしながら、Ｄ２Ｄ通信がアクティブであるとき、非Ｄ２Ｄ通信に関連するリソースは、利用不可能であり得る（例えば、ＣＡ送信／受信）。Ｄ２Ｄ近接サービス通信能力と、非Ｄ２Ｄ通信における他の対応する影響とのシグナリングは、利用不可能である。
【発明の概要】
【０００６】
[0006]  説明する特徴は、一般に、Ｄ２Ｄ近接サービス通信能力をシグナリングするための１つまたは複数の改善されたシステム、方法、および／または装置に関する。いくつかの例では、Ｄ２Ｄ近接サービス通信に関連する周波数帯域が識別される。識別された周波数帯域に基づいて、周波数帯域組合せパラメータ(frequency band combination parameter)についての近接サービス記録(proximity service record)が決定される。周波数帯域組合せパラメータは、非Ｄ２Ｄ通信（例えば、ＣＡ通信）に関連する周波数帯域組合せを含み得る。近接サービス記録は、Ｄ２Ｄ近接サービス通信に関連する周波数帯域がアクティブであることに基づく、周波数帯域組合せパラメータへの構成変更(configuration change)を示す情報を含み得る。いくつかの例では、近接サービス記録は、Ｄ２Ｄ近接サービス通信のための周波数帯域が使用中である間、非Ｄ２Ｄ通信のための能力の低減に関連する情報を搬送し得る。
【０００７】
[0007]  他の例では、周波数帯域組合せパラメータについての近接サービス記録を示す情報が受信される。周波数帯域組合せパラメータは、非Ｄ２Ｄ通信（例えば、ワイドエリアネットワーク（ＷＡＮ）ＣＡ通信）のために使用される周波数帯域に関連する情報を含み得る。近接サービス記録に基づいて、非Ｄ２Ｄ通信のための能力構成(capability configuration)が、モバイルデバイス（例えば、ＵＥ）のために決定され得る。能力構成は、モバイルデバイスにおいてＤ２Ｄ近接サービス通信に関連する周波数帯域がアクティブであるとき、非Ｄ２Ｄ通信のための能力低減を示し得る。従って、能力構成は、モバイルデバイスにおいてＤ２Ｄ近接サービス通信がアクティブであるとき、ＣＡ能力決定を与え得る。
【０００８】
[0008]  例の第１の例示的なセットによれば、ワイヤレス通信のための方法が提供される。本方法は、デバイスツーデバイス（Ｄ２Ｄ）近接サービス通信のために構成された１つまたは複数の周波数帯域を識別することと、識別された１つまたは複数の周波数帯域に基づいて、周波数帯域組合せパラメータについての近接サービス記録を決定することであって、周波数帯域組合せパラメータは非Ｄ２Ｄ通信に関連する、決定することとを含み得る。
【０００９】
[0009]  いくつかの態様では、本方法はまた、識別された１つまたは複数の周波数帯域に基づいて、近接サービス周波数帯域リストを決定することと、サービングセルに、近接サービス周波数帯域リストを示す情報を備える近接サービス能力記録(proximity service capability record)を送ることとを含み得る。近接サービス能力記録を決定することは、Ｄ２Ｄ近接サービス通信に関連する１つまたは複数の近接サービス通信パラメータを決定することを含み得る。本方法は、１つまたは複数の近接サービスパラメータが、Ｄ２Ｄ発見タイプ能力、非同期Ｄ２Ｄ発見能力、カバレージ外発見能力、Ｄ２Ｄ通信モード能力のうちの１つまたは複数、あるいはそれらの組合せを備えると決定することを含み得る。
【００１０】
[0010]  いくつかの態様では、近接サービス記録を決定することは、周波数帯域組合せを使用して非Ｄ２Ｄ通信のための第１の能力構成を決定することと、Ｄ２Ｄ近接サービス通信のために構成された識別された１つまたは複数の周波数帯域に基づいて、非Ｄ２Ｄ通信のための第２の能力構成を決定することとを含み得る。第２の能力構成を決定することは、Ｄ２Ｄ近接サービス通信のために構成された１つまたは複数の周波数帯域について、周波数帯域組合せについての能力低減記録(capability reduction record)を決定することを含み得る。能力低減記録は、識別された１つまたは複数の周波数帯域のうちの少なくとも１つがＤ２Ｄ近接サービス通信のために使用されるとき、低減された非Ｄ２Ｄ通信能力を示す情報を含み得る。周波数帯域組合せについての能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータのうちの１つまたは複数、あるいはそれらの組合せを含み得る。
【００１１】
[0011]  いくつかの態様では、本方法は、サービングセルに、Ｄ２Ｄ近接サービスがアクティブであることを示す情報を含む開始メッセージを送ることを含み得る。開始メッセージは、周波数帯域組合せパラメータについての更新された近接サービス記録を含み得、更新された近接サービス記録は、アクティブなＤ２Ｄ近接サービス通信のために使用される１つまたは複数の周波数帯域に基づく。本方法は、Ｄ２Ｄ近接サービスがアクティブであることに基づいて、非Ｄ２Ｄ通信のための低減された能力を決定することを含み得る。本方法は、サービングセルから、非Ｄ２Ｄ通信のための低減された能力のために利用するためのリソースの指示を備える無線リソース制御（ＲＲＣ： radio resource control）接続再構成メッセージ(connection reconfiguration message)を受信することを含み得る。本方法は、ＲＲＣ接続再構成プロシージャ中の所定の時間期間の間、非Ｄ２Ｄ通信を休止することを含み得る。
【００１２】
[0012]  いくつかの態様では、本方法は、サービングセルに、Ｄ２Ｄ近接サービスが非アクティブであることを示す情報を含む停止メッセージを送ることを含み得る。停止メッセージは、周波数帯域組合せパラメータについての更新された近接サービス記録を含み得、更新された近接サービス記録は、非アクティブなＤ２Ｄ近接サービス通信により利用可能である１つまたは複数の周波数帯域に基づく。本方法は、Ｄ２Ｄ近接サービスが非アクティブであることに基づいて、Ｄ２Ｄ近接サービス通信のための完全能力構成(full capability configuration)を決定することを含み得る。非Ｄ２Ｄ通信は、キャリアアグリゲーション通信であり得る。
【００１３】
[0013]  いくつかの態様では、本方法は、Ｄ２Ｄ近接サービス通信に関連するリソースのプールが与えられたとき、Ｄ２Ｄ近接サービスがアクティブであることに基づいて、非Ｄ２Ｄ通信のための低減された能力構成を決定することを含み得る。本方法は、無線周波数同調動作を行うために、所定の時間期間の間、非Ｄ２Ｄ通信を休止することを含み得、ここにおいて、休止することが、Ｄ２Ｄ近接サービス通信のためのリソースのプールにアクセスする前および後に行われる。
【００１４】
[0014]  例示的な例の第２のセットでは、ワイヤレス通信のための装置が提供される。本装置は、プロセッサと、プロセッサと電子通信しているメモリと、メモリに記憶されている命令とを含み得、命令はプロセッサによって実行可能である。命令は、デバイスツーデバイス（Ｄ２Ｄ）近接サービス通信のために構成された１つまたは複数の周波数帯域を識別することと、識別された１つまたは複数の周波数帯域に基づいて、周波数帯域組合せパラメータについての近接サービス記録を決定することであって、周波数帯域組合せパラメータが非Ｄ２Ｄ通信に関連する、決定することとを行うようにプロセッサによって実行可能であり得る。
【００１５】
[0015]  いくつかの態様では、本装置は、識別された１つまたは複数の周波数帯域に基づいて、近接サービス周波数帯域リストを決定することと、サービングセルに、近接サービス周波数帯域リストを示す情報を備える近接サービス能力記録を送ることとを行うようにプロセッサによって実行可能な命令を含み得る。近接サービス能力記録を決定するように実行可能な命令は、Ｄ２Ｄ近接サービス通信に関連する１つまたは複数の近接サービス通信パラメータを決定するためにさらに実行可能であり得る。本装置は、１つまたは複数の近接サービスパラメータが、Ｄ２Ｄ発見タイプ能力、非同期Ｄ２Ｄ発見能力、カバレージ外発見能力、Ｄ２Ｄ通信モード能力のうちの１つまたは複数、あるいはそれらの組合せを備えると決定するようにプロセッサによって実行可能な命令を含み得る。
【００１６】
[0016]  いくつかの態様では、近接サービス記録を決定するように実行可能な命令は、周波数帯域組合せを使用して非Ｄ２Ｄ通信のための第１の能力構成を決定することと、Ｄ２Ｄ近接サービス通信のために構成された識別された１つまたは複数の周波数帯域に基づいて、非Ｄ２Ｄ通信のための第２の能力構成を決定することとを行うようにさらに実行可能である。第２の能力構成を決定するように実行可能な命令は、Ｄ２Ｄ近接サービス通信のために構成された１つまたは複数の周波数帯域について、周波数帯域組合せについての能力低減記録を決定するようにさらに実行可能であり得る。
【００１７】
[0017]  いくつかの態様では、能力低減記録は、識別された１つまたは複数の周波数帯域のうちの少なくとも１つがＤ２Ｄ近接サービス通信のために使用されるとき、低減された非Ｄ２Ｄ通信能力を示す情報を含む。周波数帯域組合せについての能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータのうちの１つまたは複数、あるいはそれらの組合せを含み得る。
【００１８】
[0018]  いくつかの態様では、本装置は、サービングセルに、Ｄ２Ｄ近接サービスがアクティブであることを示す情報を含む開始メッセージを送るようにプロセッサによって実行可能な命令を含み得る。
【００１９】
[0019]  例示的な例の第３のセットでは、ワイヤレス通信のための装置が提供される。本装置は、デバイスツーデバイス（Ｄ２Ｄ）近接サービス通信のために構成された１つまたは複数の周波数帯域を識別するための手段と、識別された１つまたは複数の周波数帯域に基づいて、周波数帯域組合せパラメータについての近接サービス記録を決定するための手段であって、周波数帯域組合せパラメータが非Ｄ２Ｄ通信に関連する、決定するための手段とを含み得る。
【００２０】
[0020]  いくつかの態様では、本装置は、識別された１つまたは複数の周波数帯域に基づいて、近接サービス周波数帯域リストを決定するための手段と、サービングセルに、近接サービス周波数帯域リストを示す情報を備える近接サービス能力記録を送るための手段とを含み得る。近接サービス能力記録を決定するための手段は、Ｄ２Ｄ近接サービス通信に関連する１つまたは複数の近接サービス通信パラメータを決定するための手段を含み得る。本装置は、１つまたは複数の近接サービスパラメータが、Ｄ２Ｄ発見タイプ能力、非同期Ｄ２Ｄ発見能力、カバレージ外発見能力、Ｄ２Ｄ通信モード能力のうちの１つまたは複数、あるいはそれらの組合せを備えると決定するための手段を含み得る。
【００２１】
[0021]  いくつかの態様では、近接サービス記録を決定するための手段は、周波数帯域組合せを使用して非Ｄ２Ｄ通信のための第１の能力構成を決定するための手段と、Ｄ２Ｄ近接サービス通信のために構成された識別された１つまたは複数の周波数帯域に基づいて、非Ｄ２Ｄ通信のための第２の能力構成を決定するための手段とを含み得る。
【００２２】
[0022]  例示的な例の第４のセットでは、ワイヤレス通信のためのコンピュータ実行可能なコードを記憶する非一時的コンピュータ可読媒体が提供される。コードは、デバイスツーデバイス（Ｄ２Ｄ）近接サービス通信のために構成された１つまたは複数の周波数帯域を識別することと、識別された１つまたは複数の周波数帯域に基づいて、周波数帯域組合せパラメータについての近接サービス記録を決定することであって、周波数帯域組合せパラメータは非Ｄ２Ｄ通信に関連する、決定することとを行うようにプロセッサによって実行可能であり得る。
【００２３】
[0023]  例示的な例の第５のセットでは、ワイヤレス通信のための方法が提供される。本方法は、周波数帯域組合せパラメータについての近接サービス記録を示す情報を受信することであって、周波数帯域組合せパラメータがモバイルデバイスのための非デバイスツーデバイス（Ｄ２Ｄ）通信に関連する、受信することと、近接サービス記録に基づいて、モバイルデバイスの非Ｄ２Ｄ通信のための能力構成を決定することとを含み得る。
【００２４】
[0024]  いくつかの態様では、近接サービス記録は、周波数帯域組合せパラメータについての能力低減記録を含み得る。能力低減記録は、Ｄ２Ｄ近接サービス通信に関連する１つまたは複数の周波数帯域のうちの少なくとも１つが使用中であるとき、低減された非Ｄ２Ｄ通信能力を示す情報を含み得る。周波数帯域組合せについての能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を含み得る。
【００２５】
[0025]  いくつかの態様では、本方法は、モバイルデバイスから、Ｄ２Ｄ近接サービス通信がアクティブであるという開始メッセージを受信することを含み得る。開始メッセージは、周波数帯域組合せパラメータについての更新された近接サービス記録を含み得、更新された近接サービス記録は、アクティブなＤ２Ｄ近接サービス通信のために使用される１つまたは複数の周波数帯域に基づく。本方法は、Ｄ２Ｄ近接サービス通信がアクティブであることに基づいて、非Ｄ２Ｄ通信のための低減された能力を決定することを含み得る。
【００２６】
[0026]  いくつかの態様では、本方法は、モバイルデバイスから、Ｄ２Ｄ近接サービス通信が非アクティブであるという停止メッセージを受信することを含み得る。停止メッセージは、周波数帯域組合せパラメータについての更新された近接サービス記録を含み得、更新された近接サービス記録は、非アクティブなＤ２Ｄ近接サービス通信により利用可能である、Ｄ２Ｄ近接サービス通信に関連する１つまたは複数の周波数帯域に基づく。本方法は、Ｄ２Ｄ近接サービス通信が非アクティブであることに基づいて、非Ｄ２Ｄ通信のための完全能力構成を決定することを含み得る。
【００２７】
[0027]  いくつかの態様では、本方法は、近接サービス記録に基づいて、モバイルデバイスのための１つまたは複数のリソースをスケジュールすることを含み得る。近接サービス記録を示す情報は、モバイルデバイスから受信され得る。近接サービス記録を示す情報は、ネットワークエンティティから受信され得る。本方法は、近接サービス周波数帯域リストと、１つまたは複数の近接サービス通信パラメータとを示す情報を含む近接サービス能力記録を受信することを含み得る。１つまたは複数の近接サービスパラメータは、Ｄ２Ｄ発見タイプ能力と、非同期Ｄ２Ｄ発見能力と、カバレージ外発見能力と、Ｄ２Ｄ通信モード能力とのうちの１つまたは複数を含み得る。
【００２８】
[0028]  例示的な例の第６のセットでは、ワイヤレス通信のための装置が提供される。本装置は、プロセッサと、プロセッサと電子通信しているメモリと、メモリに記憶されている命令とを含み得る。周波数帯域組合せパラメータについての近接サービス記録を示す情報を受信することであって、周波数帯域組合せパラメータはモバイルデバイスのための非デバイスツーデバイス（Ｄ２Ｄ）通信に関連する、受信することと、近接サービス記録に基づいて、モバイルデバイスの非Ｄ２Ｄ通信のための能力構成を決定することとを行うようにプロセッサによって実行可能である命令。
【００２９】
[0029]  いくつかの態様では、近接サービス記録は、周波数帯域組合せパラメータについての能力低減記録を含み得る。能力低減記録は、Ｄ２Ｄ近接サービス通信に関連する１つまたは複数の周波数帯域のうちの少なくとも１つが使用中であるとき、低減された非Ｄ２Ｄ通信能力を示す情報を含み得る。周波数帯域組合せについての能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を含み得る。
【００３０】
[0030]  いくつかの態様では、本装置は、モバイルデバイスから、Ｄ２Ｄ近接サービス通信がアクティブであるという開始メッセージを受信するようにプロセッサによって実行可能な命令を含み得る。開始メッセージは、周波数帯域組合せパラメータについての更新された近接サービス記録を含み得、更新された近接サービス記録は、アクティブなＤ２Ｄ近接サービス通信のために使用される１つまたは複数の周波数帯域に基づく。本装置は、Ｄ２Ｄ近接サービス通信がアクティブであることに基づいて、非Ｄ２Ｄ通信のための低減された能力を決定するようにプロセッサによって実行可能な命令を含み得る。
【００３１】
[0031]  いくつかの態様では、本装置は、モバイルデバイスから、Ｄ２Ｄ近接サービス通信が非アクティブであるという停止メッセージを受信するようにプロセッサによって実行可能な命令を含み得る。停止メッセージは、周波数帯域組合せパラメータについての更新された近接サービス記録を含み得、更新された近接サービス記録は、非アクティブなＤ２Ｄ近接サービス通信により利用可能である、Ｄ２Ｄ近接サービス通信に関連する１つまたは複数の周波数帯域に基づく。本装置は、Ｄ２Ｄ近接サービス通信が非アクティブであることに基づいて、非Ｄ２Ｄ通信のための完全能力構成を決定するようにプロセッサによって実行可能な命令を含み得る。
【００３２】
[0032]  いくつかの例では、本装置は、近接サービス記録に基づいて、モバイルデバイスのための１つまたは複数のリソースをスケジュールするようにプロセッサによって実行可能な命令を含み得る。
【００３３】
[0033]  例示的な例の第７のセットでは、ワイヤレス通信のための装置が提供される。本装置は、周波数帯域組合せパラメータについての近接サービス記録を示す情報を受信するための手段であって、周波数帯域組合せパラメータはモバイルデバイスのための非デバイスツーデバイス（Ｄ２Ｄ）通信に関連する、受信するための手段と、近接サービス記録に基づいて、モバイルデバイスの非Ｄ２Ｄ通信のための能力構成を決定するための手段とを含み得る。
【００３４】
[0034]  いくつかの態様では、近接サービス記録は、周波数帯域組合せパラメータについての能力低減記録を含み得る。能力低減記録は、Ｄ２Ｄ近接サービス通信に関連する１つまたは複数の周波数帯域のうちの少なくとも１つが使用中であるとき、低減された非Ｄ２Ｄ通信能力を示す情報を含み得る。周波数帯域組合せについての能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を含み得る。本装置は、モバイルデバイスから、Ｄ２Ｄ近接サービス通信がアクティブであるという開始メッセージを受信するための手段を含み得る。
【００３５】
[0035]  例示的な例の第８のセットでは、ワイヤレス通信のためのコンピュータ実行可能なコードを記憶する非一時的コンピュータ可読媒体が提供される。コードは、周波数帯域組合せパラメータについての近接サービス記録を示す情報を受信することであって、周波数帯域組合せパラメータがモバイルデバイスのための非デバイスツーデバイス（Ｄ２Ｄ）通信に関連する、受信することと、近接サービス記録に基づいて、モバイルデバイスの非Ｄ２Ｄ通信のための能力構成を決定することとを行うようにプロセッサによって実行可能であり得る。
【００３６】
[0036]  上記では、以下の詳細な説明がより良く理解され得るように、本開示による例の特徴および技術的利点についてやや広く概説した。以下で、追加の特徴および利点について説明する。開示する概念および具体例は、本開示の同じ目的を行うための他の構造を変更または設計するための基礎として容易に利用され得る。そのような等価な構成は、添付の特許請求の範囲から逸脱しない。本明細書で開示する概念の特性、すなわち、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００３７】
[0037]  本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００３８】
【図１】本開示の様々な態様による、ワイヤレス通信システムのブロック図を示す。
【図２】本開示の様々な態様による、ワイヤレス通信において使用するために構成されたデバイスのブロック図を示す。
【図３】本開示の様々な態様による、ワイヤレス通信において使用するために構成されたデバイスのブロック図を示す。
【図４】本開示の様々な態様による、ワイヤレス通信において使用するために構成されたデバイスのブロック図を示す。
【図５】本開示の様々な態様による、ワイヤレス通信システムのブロック図を示す。
【図６】本開示の様々な態様による、ワイヤレス通信において使用するための装置のブロック図を示す。
【図７】本開示の様々な態様による、ワイヤレス通信において使用するための装置のブロック図を示す。
【図８】本開示の様々な態様による、ワイヤレス通信において使用するための基地局（例えば、ｅＮＢの一部または全部を形成する基地局）のブロック図を示す。
【図９】本開示の様々な態様による、Ｄ２Ｄ能力シグナリングの態様を示すスイム図（swim diagram）。
【図１０】本開示の様々な態様による、Ｄ２Ｄ近接サービス能力記録の態様を示す図を示す。
【図１１】本開示の様々な態様による、サポートされる周波数帯域組合せパラメータの態様を示す図を示す。
【図１２】本開示の様々な態様による、ワイヤレス通信のための方法の一例を示すフローチャートである。
【図１３】本開示の様々な態様による、ワイヤレス通信のための方法の一例を示すフローチャートである。
【図１４】本開示の様々な態様による、ワイヤレス通信のための方法の一例を示すフローチャートである。
【詳細な説明】
【００３９】
[0052]  現在、ＵＥは、例えばＤ２Ｄ通信動作では、Ｄ２Ｄ近接サービス通信のためにダウンリンクおよびアップリンク上で同時に受信し得る。ＵＥは、例えばＤ２Ｄ発見動作では、（いくつかのＵＥによって同時受信がサポートされ得るが）Ｄ２Ｄ近接サービス通信のためにダウンリンクまたはアップリンク上で受信し得る。さらに、ＵＥがＤ２Ｄ近接サービス通信を介して通信しているとき、非Ｄ２Ｄ通信（例えば、ＣＡ）の態様はサポートされないことがある。これは、Ｄ２Ｄ近接サービス通信のために使用されており、従って、非Ｄ２Ｄ通信のために利用可能でないＵＥ上の有限リソース（例えば、受信チェーン、送信チェーンなど）に起因し得る。従って、現在のプロトコルは、Ｄ２Ｄ近接サービス通信が使用中であるとき、ＵＥが、それのＤ２Ｄ近接サービス通信能力と、適用可能な場合に、非Ｄ２Ｄ通信への影響とをシグナリングするのに役立たないことがある。
【００４０】
[0053]  本明細書の態様によれば、ＵＥが、それのＤ２Ｄ近接サービス通信能力をシグナリングし、また非Ｄ２Ｄ通信の低減された能力の指示を搬送し得る。ＵＥは、それのＤ２Ｄ近接サービス通信能力、例えば、サポートされる（１つまたは複数の）発見タイプ、サポートされる（１つまたは複数の）通信モードなどを決定し得る。ＵＥはまた、ＵＥがＤ２Ｄ近接サービス通信のためにサポートするように構成された周波数帯域の、ＵＥの周波数帯域リストを決定し得る。ＵＥはまた、周波数帯域組合せ（例えば、非Ｄ２Ｄ通信に関連する周波数のグループ）について、近接サービス記録を決定し得る。近接サービス記録は、ＵＥがＤ２Ｄ近接サービス通信をサポートする周波数帯域について、周波数帯域組合せについての低減された能力構成を示し得る。一例として、およびＤ２Ｄ周波数帯域では、近接サービス記録は、ＵＥがＤ２Ｄ近接サービス通信のためにＤ２Ｄ周波数帯域（および関連するＵＥリソース）を利用するとき、低減された非Ｄ２Ｄ通信能力構成の指示を搬送し得る。ＵＥは、例えば、ＵＥが起動されたとき、および／または初期登録時に、ｅＮＢにこの情報を搬送し得る。
【００４１】
[0054]  本開示の追加の態様によれば、ｅＮＢは、ＵＥのために、Ｄ２Ｄ近接サービス通信能力の指示と、非Ｄ２Ｄ通信の低減された能力の指示とを受信し得る。ｅＮＢは、（例えば、初期登録中に）ＵＥから、および／またはネットワークエンティティ（例えば、モビリティ管理エンティティ、ＵＥの前のサービングセルなど）から、この情報を受信し得る。ｅＮＢは、受信された情報に基づいて、非Ｄ２Ｄ通信のための能力構成を決定し得る。従って、ｅＮＢは、ＵＥがＤ２Ｄ近接サービス通信に関与するとき、ＵＥのために非Ｄ２Ｄ通信のための能力構成を決定し得る。いくつかの態様では、ｅＮＢは、無線リソース制御（ＲＲＣ）接続再構成メッセージを介して、ＵＥに低減された能力構成を送り得る。この態様では、ＵＥは、無線周波数（ＲＦ）同調動作を行うために、例えば、ＲＲＣ接続再構成プロシージャの１つのサブフレームについて、アップリンクおよび／またはダウンリンク非Ｄ２Ｄ通信を休止または場合によっては中断し得る。さらに、ｅＮＢはまた、Ｄ２Ｄ近接サービス通信能力と低減された非Ｄ２Ｄ通信能力とに基づいて、ＵＥのために、リソースの１つまたは複数のスケジューリング決定を行い得る。例えば、ｅＮＢは、ＵＥリソースが利用可能でないことを考慮して、アクティブなＤ２Ｄ近接サービス通信に関与するＵＥに対して、ＣＡ関係リソースを割り当てることを控え得る。
【００４２】
[0055]  場合によっては、周波数帯域組合せなど、周波数帯域のセットが、ＣＡのために使用され得る。しかしながら、時々、限られたリソースにより、セットの全てがＣＡのために使用され得るとは限らない。例えば、利用可能なリソースは、Ｄ２Ｄ通信により低減され得る。近接サービス記録は、（例えば、周波数帯域のセットの一部または全部のサブセットを示す）セットについて、利用可能なＤ２Ｄリソースを示し得る。指示は、周波数帯域組合せがＣＡのために（または他の非Ｄ２Ｄ通信のために）使用されたとき、周波数帯域における同時Ｄ２Ｄ受信（および／またはＤ２Ｄ送信）が可能であるかどうかの指示（例えば、バイナリ指示）であり得るか、あるいは指示は、どのリソースがＤ２Ｄ通信のために使用され得るかを搬送し得る。例えば、ＵＥがＣＡまたは他の非Ｄ２Ｄ通信のために周波数帯域Ａ、Ｂ、Ｃ、およびＤを使用し得る場合、近接サービス記録または能力低減記録は、周波数帯域Ａ、Ｂ、Ｃ、およびＤを使用するとき、同時Ｄ２Ｄ通信などのＤ２Ｄ通信が可能でないこと、周波数帯域Ａ、Ｂ、およびＣ、または周波数帯域Ｂ、Ｃ、およびＤを使用するとき、周波数帯域ＸがＤ２Ｄ通信のために使用され得ること、周波数帯域ＡおよびＢ、またはＣおよびＢを使用するとき、周波数帯域ＹがＤ２Ｄ通信のために使用され得ること、周波数帯域Ａ、Ｂ、またはＤを使用するとき、周波数帯域ＺがＤ２Ｄ通信のために使用され得ること、などを示し得る。周波数帯域Ｘ、Ｙ、またはＺは、周波数帯域Ａ、Ｂ、Ｃ、およびＤのうちの１つであることも、そうでないこともある。アップリンク通信およびダウンリンク通信のために、ＵＥが異なるリソースを有し得、近接サービス記録または能力低減記録が異なるリソースを示し得ることに留意されたい。時々、非Ｄ２Ｄ通信を維持することが、Ｄ２Ｄ通信の改善よりも優先され得、例えば、（潜在的に理想的でないことによって）十分なＤ２Ｄ通信を依然として可能にしながら、非Ｄ２Ｄ通信または能力への最小の影響を有する周波数帯域構成が使用され得る。
【００４３】
[0056]  いくつかの例では、非Ｄ２Ｄ通信のための低減された能力構成は、Ｄ２Ｄリソースプール、例えば、タイプ１発見リソースプールおよび／またはモード２通信リソースプールに関連し得る。この例では、ＵＥは、例えば、ＲＦ同調動作を行うために、Ｄ２Ｄリソースプールにアクセスする前および後に、１つのサブフレームについて、ｅＮＢとのアップリンクおよび／またはダウンリンク非Ｄ２Ｄ通信を休止または場合によっては中断し得る。
【００４４】
[0057]  以下の説明は例を提供するものであり、特許請求の範囲に記載される範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。例えば、説明する方法は、説明する順序とは異なる順序で行われ得、様々なステップが追加、省略、または組み合わせられ得る。また、いくつかの例に関して説明する特徴は、他の例において組み合わせられ得る。
【００４５】
[0058]  図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（例えば、Ｓ１など）を通してコアネットワーク１３０とインターフェースし、ＵＥ１１５との通信のための無線構成およびスケジューリングを行い得るか、または基地局コントローラ（図示せず）の制御下で動作し得る。様々な例では、基地局１０５は、ワイヤードまたはワイヤレス通信リンクであり得るバックホールリンク１３４（例えば、Ｘ１など）を介して互いと直接または間接的に（例えば、コアネットワーク１３０を通して）通信し得る。
【００４６】
[0059]  基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、またはいくつかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（例えば、マクロ基地局および／またはスモールセル基地局）を含み得る。異なる技術のための重複する地理的カバレージエリア１１０があり得る。
【００４７】
[0060]  いくつかの例では、ワイヤレス通信システム１００は、ＬＴＥ（登録商標）／ＬＴＥ−Ａネットワークである。ＬＴＥ／ＬＴＥ−Ａネットワークでは、発展型ノードＢ（ｅＮＢ）という用語は、概して、基地局１０５を記述するために使用され得、ＵＥという用語は、概して、ＵＥ１１５を記述するために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（例えば、セクタなど）を表すために使用され得る３ＧＰＰ（登録商標）用語である。
【００４８】
[0061]  マクロセルは、概して、比較的大きい地理的エリア（例えば、半径数キロメートル）をカバーし、ネットワークプロバイダのサービスに加入しているＵＥによる無制限アクセスを可能にし得る。スモールセルは、マクロセルと比較して、同じまたは異なる（例えば、認可、無認可などの）周波数帯域内でマクロセルとして動作し得る低電力基地局である。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（例えば、自宅）を同じくカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セル（例えば、コンポーネントキャリア）をサポートし得る。
【００４９】
[0062]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００５０】
[0063]  様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤは、論理チャネル上で通信するために、パケットセグメンテーションおよびリアセンブリを行い得る。媒体アクセス制御（ＭＡＣ）レイヤは、優先度処理、およびトランスポートチャネルへの論理チャネルの多重化を行い得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００５１】
[0064]  ＵＥ１１５はワイヤレス通信システム１００全体にわたって分散され、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、スモールセルｅＮＢ、リレー基地局などを含む、様々なタイプの基地局およびネットワーク機器と通信することが可能であり得る。ＵＥ１１５はまた、例えば、近接サービス通信機能のために、Ｄ２Ｄ通信を介して、基地局の同じカバレージエリア内または外のいずれかの他のＵＥと通信することが可能であり得る。ＵＥ１１５は、方向発見のための近接サービス適用コードと、直接通信のための近接サービスカプセル化インターネットプロトコル（ＩＰ）パケットとを搬送するエアインターフェースを介して、他のＵＥと通信することが可能であり得る。同様に、ＵＥ１１５は、直接発見のための許可ポリシーを配信し、直接発見のために使用される近接サービス適用識別情報に対応するコードの割振り／解決を行うために、ＩＰ基準点プロトコルを介して、近接サービス機能を用いて通信に可能であり得る。
【００５２】
[0065]  ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（例えば、異なる周波数の波形信号）からなる信号であり得る。各被変調信号は、異なるサブキャリア上で送られ得、制御情報（例えば、基準信号、制御チャネルなど）、オーバーヘッド情報、ユーザデータなどを搬送し得る。通信リンク１２５は、（例えば、対スペクトルリソースを使用する）ＦＤＤまたは（例えば、不対スペクトルリソースを使用する）ＴＤＤ動作を使用して、双方向通信を送信し得る。ＦＤＤのためのフレーム構造（例えば、フレーム構造タイプ１）とＴＤＤのためのフレーム構造（例えば、フレーム構造タイプ２）とが定義され得る。
【００５３】
[0066]  システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００５４】
[0067]  ワイヤレス通信システム１００は、サポートされるＤ２Ｄ近接サービス通信に基づいて、Ｄ２Ｄ近接サービス通信能力および／または低減された非Ｄ２Ｄ通信能力の指示をシグナリングすることをサポートし得る。ＵＥ１１５は、ＵＥがＤ２Ｄ近接サービス通信のためにサポートする１つまたは複数の周波数帯域を決定し得る。ＵＥは、サポートされるＤ２Ｄ周波数帯域に基づいて、周波数帯域組合せパラメータについての近接サービス記録を決定し得る。周波数帯域組合せパラメータは、ＣＡ通信または他の非Ｄ２Ｄ関係通信技法のために使用される周波数帯域の組合せに関連し得る。近接サービス記録は、サポートされるＤ２Ｄ周波数帯域について、アクティブなＤ２Ｄ近接サービス通信のための周波数帯域組合せについての構成能力を含み得る。
【００５５】
[0068]  基地局１０５が、非Ｄ２Ｄ通信に関連する周波数帯域組合せについての近接サービス記録の指示を受信し得る。指示に基づいて、基地局１０５は、ＵＥのために非Ｄ２Ｄ通信のための能力構成を決定し得る。能力構成は、Ｄ２Ｄ周波数帯域のうちの少なくとも１つがＤ２Ｄ近接サービス通信のために利用されているとき、低減された非Ｄ２Ｄ通信能力の指示を与える能力低減記録を含み得る。基地局１０５は、能力低減記録に基づいて、ＵＥ１１５が、Ｄ２Ｄ近接サービス通信に関与しながら、どんな非Ｄ２Ｄ通信能力をサポートできるかを決定し得る。
【００５６】
[0069]  図２に、本開示の様々な態様による、ワイヤレス通信において使用するためのデバイス１１５−ａのブロック図２００を示す。デバイス１１５−ａは、図１を参照しながら説明したＵＥ１１５の１つまたは複数の態様の一例であり得る。デバイス１１５−ａは、受信機モジュール２０５、Ｄ２Ｄシグナリングモジュール２１０、および／または送信機モジュール２１５を含み得る。デバイス１１５−ａはまた、プロセッサであり得るか、またはプロセッサを含み得る（図示せず）。これらのモジュールの各々は互いと通信していることがある。
【００５７】
[0070]  デバイス１１５−ａの構成要素は、個別にまたは集合的に、ハードウェア中の適用可能な機能の一部または全部を行うように適応された１つまたは複数の特定用途向け集積回路（ＡＳＩＣ）を使用して実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００５８】
[0071]  受信機モジュール２０５は、パケット、ユーザデータ、および／または様々な情報チャネル（例えば、制御チャネル、データチャネルなど）に関連する制御情報などの情報を受信し得る。受信機モジュール２０５は、サービング基地局から、Ｄ２Ｄ近接サービス通信、非Ｄ２Ｄ通信、リソース割当てなどに関連する情報を含むメッセージを受信し得る。受信機モジュール２０５はまた、異なるＵＥから、Ｄ２Ｄ通信を介して、例えば、発見信号、通信など、近接サービス通信に関連する情報を含む信号、または場合によっては、近接サービス通信に関連する信号を受信し得る。情報は、Ｄ２Ｄシグナリングモジュール２１０に、およびデバイス１１５−ａの他の構成要素に受け渡され得る。
【００５９】
[0072]  Ｄ２Ｄシグナリングモジュール２１０は、デバイス１１５−ａのためのＤ２Ｄ近接サービス通信シグナリングを管理し得る。Ｄ２Ｄシグナリングモジュール２１０は、Ｄ２Ｄ近接サービス通信のためにサポートされる周波数帯域を識別し得る。Ｄ２Ｄ周波数帯域は、近接サービス機能を行うために、直接Ｄ２Ｄ通信のために利用され得る。Ｄ２Ｄシグナリングモジュール２１０は、識別されたＤ２Ｄ周波数帯域に基づいて、周波数帯域組合せパラメータについての近接サービス記録を決定し得る。周波数帯域組合せパラメータは、非Ｄ２Ｄ通信、例えばＣＡ通信のために使用される周波数帯域の組合せに関連し得る。近接サービス記録は、Ｄ２Ｄ周波数帯域について、非Ｄ２Ｄ通信のための低減された非Ｄ２Ｄ通信能力構成を示し得る。例えば、近接サービス記録は、Ｄ２Ｄ近接サービス通信がアクティブであるとき、マルチキャリア非Ｄ２Ｄ通信機能が利用可能であるかどうかと、どんなマルチキャリア非Ｄ２Ｄ通信機能が利用可能であるかとを示し得る。Ｄ２Ｄシグナリングモジュール２１０はまた、Ｄ２Ｄ周波数帯域を識別する情報と、他のＤ２Ｄ近接サービス通信パラメータとを含む近接サービス能力記録を決定し得る。Ｄ２Ｄシグナリングモジュール２１０は、送信機モジュール２１５を介して、サービングセルに、Ｄ２Ｄ近接サービス通信能力と、非Ｄ２Ｄ通信のための低減された能力構成とを示す情報を含むメッセージを送り得る。
【００６０】
[0073]  送信機モジュール２１５は、デバイス１１５−ａの他の構成要素から受信された１つまたは複数の信号を送信し得る。送信機モジュール２１５は、サービングセルに、パケット、ユーザデータ、および／または制御情報などの情報を送信し得る。送信機モジュール２１５は、Ｄ２Ｄ能力シグナリング動作と連携して、サービングセルにメッセージを送り得る。送信機モジュール２１５はまた、近接サービス通信のためにＤ２Ｄ通信を介して異なるＵＥに信号を送り得る。いくつかの例では、送信機モジュール２１５は、トランシーバモジュールにおいて受信機モジュール２０５とコロケートされ得る。
【００６１】
[0074]  図３に、様々な例による、ワイヤレス通信において使用するためのデバイス１１５−ｂのブロック図３００を示す。デバイス１１５−ｂは、図１を参照しながら説明したＵＥ１１５の１つまたは複数の態様の一例であり得る。デバイス１１５−ｂは、図２を参照しながら説明したデバイス１１５−ａの一例でもあり得る。デバイス１１５−ｂは、デバイス１１５−ａの対応するモジュールの例であり得る、受信機モジュール２０５−ａ、Ｄ２Ｄシグナリングモジュール２１０−ａ、および／または送信機モジュール２１５−ａを含み得る。デバイス１１５−ｂはまた、プロセッサ（図示せず）を含み得る。これらの構成要素の各々は互いと通信していることがある。Ｄ２Ｄシグナリングモジュール２１０−ａは、近接サービス（ＰｒｏＳｅ）能力モジュール３０５と、近接サービス記録モジュール３１０とを含み得る。受信機モジュール２０５−ａおよび送信機モジュール２１５−ａは、それぞれ、図２の受信機モジュール２０５および送信機モジュール２１５の機能を行い得る。
【００６２】
[0075]  デバイス１１５−ｂの構成要素は、個別にまたは集合的に、ハードウェア中の適用可能な機能の一部または全部を行うように適応された１つまたは複数の特定用途向け集積回路（ＡＳＩＣ）を使用して実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００６３】
[0076]  近接サービス能力モジュール３０５は、デバイス１１５−ｂのための近接サービス能力識別および管理の態様を管理し得る。近接サービス能力モジュール３０５は、デバイス１１５−ｂによって、Ｄ２Ｄ近接サービス通信によってサポートされる周波数帯域を識別し得る。Ｄ２Ｄ周波数帯域は、例えば、キャリアによってデバイス１１５−ｂに割り当てられ、デバイス１１５−ｂのメモリに記憶され得る。近接サービス能力モジュール３０５はまた、デバイス１１５−ｂによってＤ２Ｄ近接サービス通信のためにサポートされる追加の動作パラメータを決定し得る。近接サービス能力モジュール３０５は、Ｄ２Ｄ近接サービス通信のためのサポートされるＤ２Ｄ周波数帯域および／または構成パラメータを示す情報を出力し得る。
【００６４】
[0077]  近接サービス記録モジュール３１０は、デバイス１１５−ｂのために、近接サービス記録を決定および通信することの態様を管理し得る。例えば、近接サービス記録モジュール３１０は、近接サービス能力モジュール３０５と協働して、デバイス１１５−ｂのために、周波数帯域組合せパラメータについての近接サービス記録を決定し得る。周波数帯域組合せパラメータは、非Ｄ２Ｄ通信のために、例えば、ＣＡまたは他のマルチキャリア通信のために使用される周波数帯域の組合せに関連し得る。近接サービス記録は、Ｄ２Ｄ周波数帯域に基づく、非Ｄ２Ｄ通信能力構成への影響を示す情報を含み得る。一例として、受信機モジュール２０５−ａは、ＣＡ通信をサポートするための複数の受信機チェーンを備え得る。近接サービス記録は、Ｄ２Ｄ近接サービス通信がＤ２Ｄ周波数帯域のうちの１つ上でアクティブであるとき、受信機チェーンのうちの少なくとも１つが非Ｄ２Ｄ通信のために利用不可能になり、従って、デバイス１１５−ｂが完全非Ｄ２Ｄ通信をサポートすることが可能でないことがあるという指示を含み得る。従って、近接サービス記録は、Ｄ２Ｄ近接サービス通信を考慮するとき、低減された非Ｄ２Ｄ通信のための構成能力を与え得る。
【００６５】
[0078]  いくつかの例では、近接サービス記録モジュール３１０は、サポートされる周波数帯域組合せについて、およびサポートされるＤ２Ｄ周波数帯域について、近接サービス記録を決定し得る。従って、デバイス１１５−ｂは、低減された非Ｄ２Ｄ通信能力の完全置換を与え得る。近接サービス記録モジュール３１０は、デバイス１１５−ｂが最初に起動したとき、および／または場合によっては、キャリアネットワークに初めに登録したとき、言及した情報を与え得る。
【００６６】
[0079]  図４に、様々な例による、ワイヤレス通信において使用するためのデバイス１１５−ｃのブロック図４００を示す。デバイス１１５−ｃは、図１を参照しながら説明したＵＥ１１５の１つまたは複数の態様の一例であり得る。デバイス１１５−ｃは、図２および図３を参照しながら説明したデバイス１１５−ａおよび／またはデバイス１１５−ｂの一例でもあり得る。デバイス１１５−ｃは、デバイス１１５−ａおよび／または１１５−ｂの対応するモジュールの例であり得る、受信機モジュール２０５−ｂ、Ｄ２Ｄシグナリングモジュール２１０−ｂ、および／または送信機モジュール２１５−ｂを含み得る。デバイス１１５−ｃはまた、プロセッサを含み得る（図示せず）。これらの構成要素の各々は互いと通信していることがある。Ｄ２Ｄシグナリングモジュール２１０−ｂは、近接サービス（ＰｒｏＳｅ）能力モジュール３０５−ａと、近接サービス記録モジュール３１０−ａとを含み得る。受信機モジュール２０５−ｂおよび送信機モジュール２１５−ｂは、それぞれ、図２の受信機モジュール２０５および送信機モジュール２１５の機能を行い得る。
【００６７】
[0080]  デバイス１１５−ｃの構成要素は、個別にまたは集合的に、ハードウェア中の適用可能な機能の一部または全部を行うように適応された１つまたは複数の特定用途向け集積回路（ＡＳＩＣ）を使用して実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００６８】
[0081]  近接サービス能力モジュール３０５−ａは、Ｄ２Ｄ近接サービス周波数帯域リストモジュール４０５と、Ｄ２Ｄ近接サービス能力モジュール４１０とを含み得、デバイス１１５−ｃのための近接サービス能力識別および管理の態様を管理し得る。Ｄ２Ｄ近接サービス周波数帯域リストモジュール４０５は、デバイス１１５−ｃによって、Ｄ２Ｄ近接サービス通信によってサポートされる周波数帯域を識別し得る。Ｄ２Ｄ周波数帯域は、例えば、キャリアによってデバイス１１５−ｃに割り当てられ、デバイス１１５−ｃのメモリに記憶され得る。サポートされるＤ２Ｄ周波数帯域について、Ｄ２Ｄ近接サービス周波数帯域リストモジュール４０５は、周波数帯域パラメータを示す情報を出力し得る。例えば、Ｄ２Ｄ近接サービス周波数帯域リストモジュール４０５は、近接サービス周波数帯域リストを出力し得る。Ｄ２Ｄ近接サービス周波数帯域リストモジュール４０５は、送信機モジュール２１５−ｂと協働して、周波数帯域リストを含む近接サービス能力記録を送り得る。
【００６９】
[0082]  Ｄ２Ｄ近接サービス能力モジュール４０５は、デバイス１１５−ｃによってＤ２Ｄ近接サービス通信のためにサポートされる追加の動作パラメータを決定し得る。例えば、Ｄ２Ｄ近接サービス能力モジュール４０５は、デバイス１１５−ｃのために、Ｄ２Ｄ近接サービス通信に関連する近接サービス通信パラメータを決定し得る。例示的な近接サービス通信パラメータとしては、限定はしないが、Ｄ２Ｄ発見タイプ能力（例えば、発見リソースタイプ１および／またはタイプ２）、非同期Ｄ２Ｄ発見能力、カバレージ外発見能力、Ｄ２Ｄ通信モード能力（例えば、通信モード１および／またはモード２）、あるいはそれらの任意の組合せがある。Ｄ２Ｄ近接サービス能力モジュール４１０は、近接サービス通信パラメータを示す情報を出力し得る。いくつかの例では、近接サービス通信パラメータの一部または全部が、周波数帯域リストとともに、近接サービス能力記録中に含まれ得る。
【００７０】
[0083]  近接サービス記録モジュール３１０−ａは、周波数帯域組合せモジュール４１５と、能力低減記録モジュール４２０と、Ｄ２Ｄ近接サービスステータスモジュール４２５とを含み得、デバイス１１５−ｃのために、近接サービス記録を決定および通信することの態様を管理し得る。デバイス１１５−ｃは、非Ｄ２Ｄ通信のための様々な利用可能な周波数帯域組合せを使用して、マルチキャリア通信、例えば、ＣＡ通信をサポートし得る。周波数帯域組合せモジュール４１５は、キャリアの利用可能な組合せおよび／または反復について、周波数帯域組合せ、例えば、周波数帯域１と２との周波数帯域組合せ、周波数帯域１と、２と、３との周波数帯域組合せ、周波数帯域１と３との周波数帯域組合せなどを決定し得る。従って、ＵＥ１１５−ｃは、それが非Ｄ２Ｄ  ＣＡ通信のためにどの周波数帯域組合せをサポートするかを知り得る。周波数帯域組合せモジュール４１５は、サポートされる周波数帯域組合せを示す情報を出力し得る。
【００７１】
[0084]  能力低減記録モジュール４２０は、デバイス１１５−ｃによってサポートされる周波数帯域組合せについて、第１の能力構成を決定し得る。第１の能力構成は、例えば、サポートされる帯域、帯域パラメータなど、周波数帯域組合せの完全動作特性に関連する情報を含み得る。能力低減記録モジュール４２０はまた、サポートされるＤ２Ｄ周波数帯域に基づいて、および周波数帯域組合せについて、第２の能力構成を決定し得る。第２の能力構成は、サポートされるＤ２Ｄ周波数帯域のうちの１つを介してＤ２Ｄ近接サービス通信がアクティブであるとき、低減された非Ｄ２Ｄ通信能力を考慮し得る。従って、能力低減記録モジュール４２０は、周波数帯域組合せについての能力低減記録を出力し得る。能力低減記録は、Ｄ２Ｄ周波数帯域がアクティブである場合、サポートされるＤ２Ｄ周波数帯域について、低減された非Ｄ２Ｄ通信能力を示す情報を含み得る。
【００７２】
[0085]  いくつかの例では、低減された能力記録は、デバイス１１５−ｃがＤ２Ｄ近接サービス通信のために送信しているとき、デバイス１１５−ｃが非Ｄ２Ｄ通信（例えば、ＷＡＮ通信）のための同時送信をサポートできるかどうか、帯域内アップリンク帯域幅クラス低減をサポートできるかどうか、非Ｄ２Ｄ通信のための同時受信をサポートできるかどうか、測定動作をサポートできるかどうか、またはそれらの組合せについての情報を含み得る。いくつかの例では、低減された能力記録は、デバイス１１５−ｃがＤ２Ｄ近接サービス通信のために受信しているとき、デバイス１１５−ｃが非Ｄ２Ｄ通信のための同時受信をサポートできるかどうか、帯域内ダウンリンク帯域幅クラス低減をサポートできるかどうか、非Ｄ２Ｄ通信のための同時送信をサポートできるかどうか、測定動作をサポートできるかどうか、またはそれらの組合せについての情報を含み得る。
【００７３】
[0086]  Ｄ２Ｄ近接サービスステータスモジュール４２５は、Ｄ２Ｄ近接サービス通信のステータスを監視および通信することに関係する態様を管理し得る。例えば、Ｄ２Ｄ近接サービスステータスモジュール４２５は、送信機モジュール２１５−ｂを介して、デバイス１１５−ｃについて、それぞれ、Ｄ２Ｄ近接サービス通信がアクティブであるときまたは非アクティブであるときを示す開始メッセージおよび／または停止メッセージを送り得る。Ｄ２Ｄ近接サービスステータスモジュール４２５は、能力低減記録モジュール４２０と協働して、周波数帯域組合せパラメータについての更新された近接サービス記録を決定し、開始メッセージ中に含め得る。更新された近接サービス記録は、アクティブなＤ２Ｄ近接サービス通信のために使用中であるＤ２Ｄ周波数帯域を考慮し、それに配慮し得る。対応して、Ｄ２Ｄ近接サービスステータスモジュール４２５は、能力低減記録モジュール４２０と協働して、周波数帯域組合せパラメータについての更新された近接サービス記録を決定し、停止メッセージ中に含め得る。更新された近接サービス記録は、アクティブなＤ２Ｄ近接サービス通信のためにもはや使用中でないＤ２Ｄ周波数帯域を考慮し、それに配慮し、従って、完全非Ｄ２Ｄ通信能力を与え得る。従って、Ｄ２Ｄ近接サービスステータスモジュール４２５は、単独で、または（１つまたは複数の）他のモジュールと組み合わせて、Ｄ２Ｄ近接サービス通信がアクティブであるとき、非Ｄ２Ｄ通信のための低減された能力を決定し、および／またはＤ２Ｄ近接サービス通信が非アクティブであるとき、非Ｄ２Ｄ通信のための完全能力を決定し得る。
【００７４】
[0087]  いくつかの例では、Ｄ２Ｄ近接サービスステータスモジュール４２５は、受信機モジュール２０５−ｂを介して、ｅＮＢから開始メッセージに対する応答を受信し得る。応答は、いくつかの例では、非Ｄ２Ｄ通信のための低減された能力構成を示すＲＲＣ接続再構成メッセージであり得る。Ｄ２Ｄ近接サービスステータスモジュール４２５は、単独で、またはデバイス１１５−ｃの他のモジュールと組み合わせて、例えば、ＲＦ同調動作を行うためにＲＲＣ接続再構成プロシージャ中に、１つのサブフレームについてｅＮＢとの非Ｄ２Ｄ通信（アップリンクおよび／またはダウンリンク）を休止し得る。
【００７５】
[0088]  図５に、様々な例による、ワイヤレス通信において使用するためのシステム５００を示す。システム５００は、図１のＵＥ１１５の一例であり得るＵＥ１１５−ｄを含み得る。ＵＥ１１５−ｄは、図２、図３、および／または図４のデバイス１１５の１つまたは複数の態様の一例でもあり得る。
【００７６】
[0089]  ＵＥ１１５−ｄは、概して、通信を送信するための構成要素と通信を受信するための構成要素とを含む、双方向音声およびデータ通信のための構成要素を含み得る。ＵＥ１１５−ｄは、（１つまたは複数の）アンテナ５４０と、トランシーバモジュール５３５と、プロセッサモジュール５０５と、（ソフトウェア（ＳＷ）５２０を含む）メモリ５１５とを含み得、それらは、それぞれ（例えば、１つまたは複数のバス５４５を介して）直接または間接的に互いに通信し得る。トランシーバモジュール５３５は、上記で説明したように、（１つまたは複数の）アンテナ５４０および／あるいは１つまたは複数のワイヤードまたはワイヤレスリンクを介して、１つまたは複数のネットワークと双方向に通信し得る。例えば、トランシーバモジュール５３５は、図１、図２、図３、または図４を参照すると、基地局１０５と、他のＵＥ１１５と、および／またはデバイス１１５と双方向に通信し得る。トランシーバモジュール５３５は、パケットを変調し、変調されたパケットを送信のために（１つまたは複数の）アンテナ５４０に与え、（１つまたは複数の）アンテナ５４０から受信されたパケットを復調するための、モデムを含み得る。ＵＥ１１５−ｄは単一のアンテナ５４０を含み得るが、ＵＥ１１５−ｄは、例えば、キャリアアグリゲーション技法を介して、複数のワイヤレス送信を同時に送信および／または受信することが可能な複数のアンテナ５４０を有し得る。トランシーバモジュール５３５は、複数のコンポーネントキャリアを介して、１つまたは複数の基地局１０５と同時に通信することが可能であり得る。
【００７７】
[0090]  ＵＥ１１５−ｄは、図２、図３、および／または図４のデバイス１１５のＤ２Ｄシグナリングモジュール２１０について上記で説明した機能を行う得る、Ｄ２Ｄシグナリングモジュール５１０を含み得る。ＵＥ１１５−ｄは、非Ｄ２Ｄ構成モジュール５５０をも含み得る。非Ｄ２Ｄ構成モジュール５５０は、ＵＥ１１５−ｄのために、非Ｄ２Ｄ通信動作の態様を決定、監視、制御、および／または場合によっては管理し得る。非Ｄ２Ｄ構成モジュール５５０は、Ｄ２Ｄ近接サービス通信のためにサポートされる識別された周波数帯域に基づいて、周波数帯域組合せについての近接サービス記録をし得る。周波数帯域組合せは、デバイス１１５−ｄのための、ＣＡ通信のための周波数帯域組合せを示し得る。近接サービス記録は、サポートされるＤ２Ｄ周波数帯域について、および周波数帯域組合せについて、Ｄ２Ｄ近接サービス通信がアクティブであるとき、非Ｄ２Ｄ通信のための低減された能力を示し得る。従って、デバイス１１５−ｄは、アクティブなＤ２Ｄ近接サービス通信に基づいて、非Ｄ２Ｄ通信への影響とともに、それのＤ２Ｄ能力情報をシグナリングし得る。
【００７８】
[0091]  メモリ５１５は、ランダムアクセスメモリ（ＲＡＭ）および読取り専用メモリ（ＲＯＭ）を含み得る。メモリ５１５は、実行されたとき、本明細書で説明する様々な機能（例えば、サポートされるＤ２Ｄ周波数帯域を識別する、周波数帯域組合せについての近接サービス記録を決定するなど）をプロセッサモジュール５０５に行わせる命令を含んでいるコンピュータ可読、コンピュータ実行可能なソフトウェア／ファームウェアコード５２０を記憶し得る。代替的に、コンピュータ可読、コンピュータ実行可能なソフトウェア／ファームウェアコード５２０は、プロセッサモジュール５０５によって直接的に実行可能でないことがあるが、（例えば、コンパイルされ、実行されたとき）本明細書で説明する機能をコンピュータに行わせ得る。プロセッサモジュール５０５は、インテリジェントハードウェアデバイス、例えば、中央処理ユニット（ＣＰＵ）、マイクロコントローラ、特定用途向け集積回路（ＡＳＩＣ）などを含み得る。
【００７９】
[0092]  図６に、本開示の様々な態様による、ワイヤレス通信において使用するための装置１０５−ｂのブロック図６００を示す。いくつかの例では、装置１０５−ｂは、図１、図２、図３、または図４を参照しながら説明した基地局１０５のうちの１つまたは複数の態様の一例であり得る。いくつかの例では、装置１０５−ｂは、ＬＴＥ／ＬＴＥ−Ａ  ｅＮＢおよび／またはＬＴＥ／ＬＴＥ−Ａ基地局一部であり得るか、あるいはそれらを含み得る。装置１０５−ｂはまた、プロセッサであり得る。装置１０５−ｂは、受信機モジュール６０５、非Ｄ２Ｄ能力モジュール６１０、および／または送信機モジュール６１５を含み得る。これらのモジュールの各々は互いと通信していることがある。
【００８０】
[0093]  装置１０５−ｂの構成要素は、個別にまたは集合的に、ハードウェア中の適用可能な機能の一部または全部を行うするように適応された１つまたは複数のＡＳＩＣを使用して実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る他のタイプの集積回路（例えば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実施され得る。
【００８１】
[0094]  いくつかの例では、受信機モジュール６０５は、Ｄ２Ｄ近接サービス通信能力情報、および／または非Ｄ２Ｄ通信のための低減された／復元された構成能力の指示などを受信するように動作可能な無線周波数（ＲＦ）受信機など、少なくとも１つのＲＦ受信機を含み得る。受信機モジュール６０５は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を受信するために使用され得る。
【００８２】
[0095]  いくつかの例では、送信機モジュール６１５は、ＵＥにＤ２Ｄ近接サービス通信関係信号を送信すること、非Ｄ２Ｄ通信を送信することなどを行うように動作可能な少なくとも１つのＲＦ送信機など、少なくとも１つのＲＦ送信機を含み得る。送信機モジュール６１５は、図１を参照しながら説明したワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。
【００８３】
[0096]  いくつかの例では、非Ｄ２Ｄ能力モジュール６１０は、ＵＥのために、非Ｄ２Ｄ通信のための１つまたは複数の機能を受信、監視、および／または管理し得る。非Ｄ２Ｄ能力モジュール６１０は、周波数帯域組合せパラメータについての近接サービス記録の指示を受信し得る。周波数帯域組合せパラメータは、ＵＥのための非Ｄ２Ｄ通信に関連する周波数帯域の組合せを示し得る。非Ｄ２Ｄ能力モジュール６１０は、初期キャリア登録、電源投入などの間にＵＥから、および／または前に登録されたＵＥのためのネットワークエンティティ（例えば、モビリティ管理エンティティ）から、指示を受信し得る。近接サービス記録は、周波数帯域組合せパラメータについての能力低減記録を含み得る。いくつかの例では、周波数帯域組合せは、近接サービス記録を含み得る。いくつかの例では、近接サービス記録は、ＵＥがサポートするＤ２Ｄ周波数帯域について、Ｄ２Ｄ周波数帯域がアクティブであるとき、非Ｄ２Ｄ通信能力における影響または低減の指示を含み得る。従って、非Ｄ２Ｄ能力モジュール６１０は、ＵＥがＤ２Ｄ近接サービス通信を介してアクティブに通信しているとき、非Ｄ２Ｄ通信に関係する１つまたは複数の態様を管理し得る。
【００８４】
[0097]  図７に、本開示の様々な態様による、ワイヤレス通信において使用するための装置１０５−ｃのブロック図７００を示す。いくつかの例では、装置１０５−ｃは、図１、図２、図３、図４、または図５を参照しながら説明した基地局１０５のうちの１つまたは複数の態様の一例、および／あるいは図６を参照しながら説明した装置１０５−ｂの態様の一例であり得る。いくつかの例では、装置１０５−ｃは、ＬＴＥ／ＬＴＥ−Ａ  ｅＮＢおよび／またはＬＴＥ／ＬＴＥ−Ａ基地局一部であり得るか、あるいはそれらを含み得る。装置１０５−ｃはまた、プロセッサであり得る。装置１０５−ｃは、受信機モジュール６０５−ａ、非Ｄ２Ｄ能力モジュール６１０−ａ、および／または送信機モジュール６１５−ａを含み得る。これらのモジュールの各々は互いと通信していることがある。非Ｄ２Ｄ能力モジュール６１０−ａは、周波数帯域組合せモジュール７０５と、能力構成モジュール７１０とを含み得る。受信機モジュール６０５−ａおよび送信機モジュール６１５−ａは、それぞれ、図６の受信機モジュール６０５および送信機モジュール６１５の機能を行う得る。
【００８５】
[0098]  装置１０５−ｃの構成要素は、個別にまたは集合的に、ハードウェア中の適用可能な機能の一部または全部を行うように適応された１つまたは複数のＡＳＩＣを使用して実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る他のタイプの集積回路（例えば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実施され得る。
【００８６】
[0099]  いくつかの例では、周波数帯域組合せモジュール７０５は、非Ｄ２Ｄ通信に関連する周波数帯域の組合せについての様々な機能を管理し得る。周波数帯域組合せモジュール７０５は、ＵＥのための非Ｄ２Ｄ通信に関連する周波数帯域組合せパラメータについての近接サービス記録を受信機、決定、識別などすることがある。近接サービス記録は、周波数帯域組合せについての能力低減記録を含み得る。能力低減記録は、Ｄ２Ｄ近接サービス通信に関連するＤ２Ｄ周波数帯域がアクティブであるとき、低減された非Ｄ２Ｄ通信能力を示す情報を含み得る。
【００８７】
[0100]  いくつかの例では、能力低減記録は、ＵＥがＤ２Ｄ近接サービス通信周波数帯域中で送信しているとき、ＵＥが同時非Ｄ２Ｄ通信送信（例えば、ＷＡＮ通信）をサポートできるかどうか、隣接帯域内アップリンク帯域幅クラス低減をサポートできるかどうか、同時非Ｄ２Ｄ受信をサポートできるかどうか、測定動作をサポートできるかどうか、またはそれらの組合せを示す情報を含み得る。別の例として、能力低減記録は、ＵＥがＤ２Ｄ近接サービス通信周波数帯域上で受信しているとき、ＵＥが同時非Ｄ２Ｄ通信受信をサポートできるかどうか、隣接帯域内ダウンリンク帯域幅クラス低減をサポートできるかどうか、同時非Ｄ２Ｄ送信をサポートできるかどうか、測定動作をサポートできるかどうか、またはそれらの組合せを示す情報を含み得る。
【００８８】
[0101]  いくつかの例では、周波数帯域組合せモジュール７０５はまた、ＵＥのために、近接サービス能力記録を受信するか、または場合によっては決定し得る。近接サービス能力記録は、Ｄ２Ｄ近接サービス通信のためにＵＥによってサポートされるＤ２Ｄ周波数帯域を示す情報、および／またはＤ２Ｄ近接サービス通信能力情報を含み得る。従って、周波数帯域組合せモジュール７０５はまた、ＵＥによってサポートされる様々なＤ２Ｄ近接サービス通信能力を決定し得る。
【００８９】
[0102]  いくつかの例では、能力構成モジュール７１０は、近接サービス記録に基づいて、ＵＥのために非Ｄ２Ｄ通信のための能力構成を決定し得る。能力構成は、ＵＥのための完全非Ｄ２Ｄ通信能力に関連する第１の能力構成を含み得る。能力構成は、ＵＥのための低減された非Ｄ２Ｄ通信能力、例えば、低減された能力記録に関連する第２の能力構成を含み得る。低減された能力記録は、サポートされるＤ２Ｄ周波数帯域がＤ２Ｄ近接サービス通信のために使用されているとき、非Ｄ２Ｄ通信のための低減された能力を示し得、例えば、ＵＥの送信および／または受信チェーンがＤ２Ｄ通信のために再割り当てされている。
【００９０】
[0103]  いくつかの例では、能力構成モジュール７１０は、単独で、または装置１０５−ｃの（１つまたは複数の）他のモジュールと組み合わせて、ＵＥについて、それぞれ、Ｄ２Ｄ近接サービス通信がアクティブであるときまたは非アクティブであるときを示す開始メッセージおよび／または停止メッセージをＵＥから受信し得る。能力構成モジュール７１０は、開始メッセージ中に含まれる情報に基づいて、周波数帯域組合せパラメータについての更新された近接サービス記録を決定し得る。更新された近接サービス記録は、アクティブなＤ２Ｄ近接サービス通信のために使用中であるＤ２Ｄ周波数帯域を考慮し、それに配慮し得る。対応して、能力構成モジュール７１０は、停止メッセージ中に含まれる情報に基づいて、周波数帯域組合せパラメータについての更新された近接サービス記録を決定し得る。更新された近接サービス記録は、アクティブなＤ２Ｄ近接サービス通信のためにもはや使用中でないＤ２Ｄ周波数帯域を考慮し、それに配慮し、従って、完全非Ｄ２Ｄ通信能力を与え得る。
【００９１】
[0104]  いくつかの例では、能力構成モジュール７１０は、送信機モジュール６１５−ａを介して、ＵＥに、非Ｄ２Ｄ通信のための低減された能力の態様を示すメッセージを送り得る。メッセージは、開始メッセージを受信したことに応答して送られ得る。いくつかの態様では、能力構成モジュール７１０によって決定された低減された能力構成は、ＲＲＣ接続再構成メッセージを介して、ＵＥにシグナリングされ得る。ＲＲＣ接続再構成メッセージは、アクティブなＤ２Ｄ近接サービス通信状態にあることに関連する低減された能力構成を考慮してＵＥに割り当てられたリソースの指示を含み得る。
【００９２】
[0105]  いくつかの例では、非Ｄ２Ｄ通信のための低減された能力構成は、装置１０５−ｃが、Ｄ２Ｄ近接サービス通信のためのリソースのプール、例えば、タイプ１発見リソースプールおよび／またはモード２通信リソースプールを割り当てたとき、適用可能であり得る。この例では、非Ｄ２Ｄ通信のための完全能力構成は、リソースが装置１０５−ｃからの割当てを介してアクセスされたとき、決定され得る。例えば、装置１０５−ｃは、開始メッセージ（例えば、開始メッセージは、Ｄ２Ｄ近接サービス通信のためのリソースについての要求を含み得る）を受信し、ＵＥ能力（例えば、（１つまたは複数の）リソースチェーン、（１つまたは複数の）送信チェーンなど）と、アクティブなＤ２Ｄ通信とに基づいて、ＵＥのためのリソースをスケジュールし得る。
【００９３】
[0106]  いくつかの例では、周波数帯域組合せモジュール７０５および／または能力構成モジュール７１０は、近接サービス記録に基づいて、ＵＥのための１つまたは複数のリソースをスケジュールする（または、スケジュールすることを控える）ことがある。例えば、Ｄ２Ｄ近接サービス通信がＵＥのためにアクティブであるとき、装置１０５−ｃは、ＵＥが完全非Ｄ２Ｄ通信能力をサポートすることが可能でないことがあるので、非Ｄ２Ｄ通信のためのリソースをスケジュールすることを控え得る。同様に、Ｄ２Ｄ近接サービス通信がＵＥのために非アクティブであるとき、装置１０５−ｃは、非Ｄ２Ｄ通信のためのリソースをスケジュールすることが許容されることを知り得る。
【００９４】
[0107]  図８に、本開示の様々な態様による、ワイヤレス通信において使用するための基地局１０５−ｄ（例えば、ｅＮＢの一部または全部を形成する基地局）のブロック図８００を示す。いくつかの例では、基地局１０５−ｄは、図１、図２、図３、図４、または図５を参照しながら説明した基地局１０５のうちの１つまたは複数の態様、および／あるいは基地局として構成されたとき、図６または図７を参照しながら説明した装置１０５のうちの１つまたは複数の態様の一例であり得る。基地局１０５−ｄは、図１、図２、図３、図４、図５、図６、または図７を参照しながら説明した基地局および／または装置の特徴および機能のうちの少なくともいくつかを実施するかまたは可能にし得る。
【００９５】
[0108]  基地局１０５−ｄは、基地局プロセッサモジュール８７０、基地局メモリモジュール８８０、（（１つまたは複数の）基地局トランシーバモジュール８５０によって表される）少なくとも１つの基地局トランシーバモジュール、（（１つまたは複数の）基地局アンテナ８４５によって表される）少なくとも１つの基地局アンテナ、および／または非Ｄ２Ｄ能力モジュール８１０を含み得る。基地局１０５−ｄはまた、基地局通信モジュール８６５および／またはネットワーク通信モジュール８７５のうちの１つまたは複数を含み得る。これらのモジュールの各々は、１つまたは複数のバス８９０上で、直接または間接的に互いと通信していることがある。
【００９６】
[0109]  基地局メモリモジュール８８０は、ランダムアクセスメモリ（ＲＡＭ）および／または読取り専用メモリ（ＲＯＭ）を含み得る。基地局メモリモジュール８８０は、実行されたとき、ワイヤレス通信に関係する本明細書で説明する様々な機能（例えば、周波数帯域組合せについての近接サービス記録を受信する、非Ｄ２Ｄ通信のための能力構成を決定するなど）を基地局プロセッサモジュール８７０に行わせる命令を含んでいるコンピュータ可読、コンピュータ実行可能なソフトウェア／ファームウェアコード８８５を記憶し得る。代替的に、コンピュータ可読、コンピュータ実行可能なソフトウェア／ファームウェアコード８８５は、基地局プロセッサモジュール８７０によって直接的に実行可能でないことがあるが、（例えば、コンパイルされ、実行されたとき）本明細書で説明する機能のうちのいくつかを基地局１０５−ｄに行わせ得る。
【００９７】
[0110]  基地局プロセッサモジュール８７０は、インテリジェントハードウェアデバイス、例えば、中央処理ユニット（ＣＰＵ）、マイクロコントローラ、ＡＳＩＣなどを含み得る。基地局プロセッサモジュール８７０は、（１つまたは複数の）基地局トランシーバモジュール８５０、基地局通信モジュール８６５、および／またはネットワーク通信モジュール８７５を通して受信された情報を処理し得る。基地局プロセッサモジュール８７０はまた、（１つまたは複数の）アンテナ８４５を通した送信のために（１つまたは複数の）トランシーバモジュール８５０に送られるべき情報、１つまたは複数の他の基地局８０５−ｍおよび８０５−ｎへの送信のために基地局通信モジュール８６５に送られるべき情報、ならびに／または図１を参照しながら説明したコアネットワーク１３０の１つまたは複数の態様の一例であり得る、コアネットワーク８３０への送信のためにネットワーク通信モジュール８７５に送られるべき情報を処理し得る。基地局プロセッサモジュール８７０は、単独で、または非Ｄ２Ｄ能力モジュール８１０とともに、Ｄ２Ｄ近接サービス通信動作に参加するＵＥのためのＤ２Ｄ能力シグナリング動作の様々な態様を扱い得る。
【００９８】
[0111]  （１つまたは複数の）基地局トランシーバモジュール８５０は、パケットを変調し、変調されたパケットを送信のために（１つまたは複数の）基地局アンテナ８４５に与え、（１つまたは複数の）基地局アンテナ８４５から受信されたパケットを復調するための、モデムを含み得る。（１つまたは複数の）基地局トランシーバモジュール８５０は、いくつかの例では、１つまたは複数の基地局送信機モジュールおよび１つまたは複数の別個の基地局受信機モジュールとして実施され得る。（１つまたは複数の）基地局トランシーバモジュール８５０は、第１の無線周波数スペクトル帯域および／または第２の無線周波数スペクトル帯域における通信をサポートし得る。（１つまたは複数の）基地局トランシーバモジュール８５０は、（１つまたは複数の）アンテナ８４５を介して、図１、図２、図３、図４、図５、または図６を参照しながら説明したＵＥ１１５のうちの１つまたは複数など、１つまたは複数のＵＥまたは装置と双方向に通信し得る。基地局１０５−ｄは、例えば、複数の基地局アンテナ８４５（例えば、アンテナアレイ）を含み得る。基地局１０５−ｄは、ネットワーク通信モジュール８７５を通してコアネットワーク１３０−ａと通信し得る。基地局１０５ーｄはまた、基地局通信モジュール８６５を使用して、基地局８０５−ｍおよび８０５−ｎなど、他の基地局と通信し得る。
【００９９】
[0112]  非Ｄ２Ｄ能力モジュール８１０は、能力決定動作に関係する、図６または図７を参照しながら説明した特徴および／または機能の一部または全部、例えば、Ｄ２Ｄ近接サービス通信能力および非Ｄ２Ｄ能力構成を行うおよび／または制御し得る。非Ｄ２Ｄ能力モジュール８１０は、禁止管理(barring management)モジュール７９５の特徴および／または機能の一部または全部を行うＤ２Ｄ近接サービスステータス管理モジュール８９５を含み得る。いくつかの例では、Ｄ２Ｄ近接サービスステータス管理モジュール８９５は、アクティブなＤ２Ｄ近接サービス通信に関与するＵＥから、開始および／または停止メッセージを受信し得る。いくつかの例では、開始／停止メッセージは、Ｄ２Ｄ通信がアクティブである間、周波数帯域組合せについての低減された能力記録を示す更新された近接サービス記録、またはＤ２Ｄ通信が非アクティブであることにより、完全非Ｄ２Ｄ通信がアクティブであることを示す更新された近接サービス記録を含み得る。非Ｄ２Ｄ能力モジュール８１０、またはモジュール８１０の部分は、プロセッサを含み得、ならびに／あるいは非Ｄ２Ｄ能力モジュール８１０の機能の一部または全部は、基地局プロセッサモジュール８７０によって、および／または基地局プロセッサモジュール８７０とともに行われ得る。いくつかの例では、非Ｄ２Ｄ能力モジュール８１０は、図６および／または図７を参照しながら説明した非Ｄ２Ｄ能力モジュール６１０および／または６１０−ａの一例であり得る。
【０１００】
[0113]  図９は、本開示の様々な態様による、Ｄ２Ｄ能力シグナリングの態様を示すスイム図９００である。図９００は、それぞれ、図１、図５、または図８を参照しながら説明したシステム１００、５００および／または８００の態様を示し得る。図９００は、ＵＥ９０５と、サービングセル９１０と、ネットワークエンティティ９１５とを含む。ＵＥ９０５は、図１、図２、図３、図４、および／または図５に関して上記で説明したＵＥ１１５および／またはデバイス１１５のうちの１つまたは複数の一例であり得る。サービングセル９１０は、図１、図６、図７、および／または図８に関して上記で説明した基地局１０５および／または装置１０５のうちの１つまたは複数の一例であり得る。概して、図９００は、Ｄ２Ｄ能力シグナリングを実施することの態様を示している。いくつかの例では、ＵＥ１１５および／または基地局１０５のうちの１つなどのシステムデバイスが、以下で説明する機能の一部または全部を行うようにデバイスの機能要素を制御するためのコードの１つまたは複数のセットを実行し得る。
【０１０１】
[0114]  ブロック９２０において、ＵＥ９０５は、１つまたは複数のメッセージをサービングセル９１０と交換することによって、ネットワークに登録する。例えば、ＵＥ９０５は、ＵＥが最初に電源投入されたとき、飛行機モードがオフにされたときなど、サービングセルを介して、ネットワークに登録し得る。ネットワーク登録プロセス中に、ＵＥは、サービングセル９１０にＤ２Ｄ能力シグナリングを送る。Ｄ２Ｄ能力情報は、周波数帯域組合せについての近接サービス記録と、いくつかの例では、近接サービス能力記録とを含み得る。いくつかの例では、近接サービス記録は、ＵＥ９０５が非Ｄ２Ｄ通信、例えば、ＣＡ通信のためにサポートする周波数帯域組合せについて含まれ得る。近接サービス記録では、サポートされるＤ２Ｄ周波数帯域について、Ｄ２Ｄ通信がアクティブであるとき、非Ｄ２Ｄ通信能力の低減に関連する情報を搬送する能力低減記録が含まれ得る。近接サービス能力記録は、Ｄ２Ｄ近接サービス通信のためにサポートされる周波数帯域の周波数帯域リスト、ならびに、他のＤ２Ｄ近接サービス通信のサポートされる構成を含み得る。
【０１０２】
[0115]  ブロック９２５において、サービングセル９１０は、ネットワークエンティティ９１５に、ＵＥ９０５のためのＤ２Ｄ能力情報をフォワーディングし得る。ネットワークエンティティ９１５は、例えば、モビリティ管理エンティティ（ＭＭＥ）であり得、ＵＥ９０５のためのＤ２Ｄ能力情報を記憶し得る。いくつかの例では、ネットワークエンティティ９１５および／またはサービングセル９１０は、ハンドオーバまたはセル再選択プロシージャ中に、ターゲットセルにＵＥ９０５のためのＤ２Ｄ能力情報を送り得る。従って、サービングセル９１０および／または将来のターゲットセルは、ＵＥ９０５の有限リソースにより、アクティブなＤ２Ｄ近接サービス通信が、サポートされる非Ｄ２Ｄ通信に及ぼし得る影響を知り得る。
【０１０３】
[0116]  図１０は、本開示の様々な態様による、Ｄ２Ｄ近接サービス能力記録の態様を示す図１０００である。図１０００は、それぞれ、図１、図５、または図８を参照しながら説明したシステム１００、５００および／または８００の態様を示し得る。図１０００は、図１、図２、図３、図４、および／または図５に関して上記で説明したＵＥ１１５および／またはデバイス１１５のうちの１つまたは複数によって実施され得る。いくつかの例では、ＵＥ１１５および／または基地局１０５のうちの１つなどのシステムデバイスが、以下で説明する機能の一部または全部を行うようにデバイスの機能要素を制御するためのコードの１つまたは複数のセットを実行し得る。
【０１０４】
[0117]  図１０００は、近接サービス能力記録１００５と、サポートされる周波数帯域リスト１０１０とを含み得る。近接サービス能力記録１００５は、Ｄ２Ｄ近接サービス通信を行うことに関連する情報を含み得る。例えば、近接サービス能力記録１００５は、Ｄ２Ｄ近接サービス通信のための近接サービス通信パラメータ、例えば、Ｄ２Ｄ発見タイプ能力、非同期Ｄ２Ｄ発見能力、カバレージ外発見能力、Ｄ２Ｄ通信モード能力、またはそれらの組合せを含み得る。
【０１０５】
[0118]  サポートされる周波数帯域リスト１０１０は、Ｄ２Ｄ近接サービス通信のためにサポートされる周波数帯域に関連する周波数帯域リストを含む。周波数帯域リストは、サポートされるＤ２Ｄ周波数帯域１０１５を示し、１つまたは複数の周波数帯域パラメータを含み得る。いくつかの例では、周波数帯域リスト１０１０は、ＵＥがＤ２Ｄ近接サービス通信のためにサポートするＤ２Ｄ周波数帯域１０１５についての記録を含み得る。
【０１０６】
[0119]  図１１は、本開示の様々な態様による、サポートされる周波数帯域組合せパラメータの態様を示す図１１００である。図１１００は、それぞれ、図１、図５、または図８を参照しながら説明したシステム１００、５００および／または８００の態様を示し得る。図１１００は、図１、図２、図３、図４、および／または図５に関して上記で説明したＵＥ１１５および／またはデバイス１１５のうちの１つまたは複数によって実施され得る。いくつかの例では、ＵＥ１１５および／または基地局１０５のうちの１つなどのシステムデバイスが、以下で説明する機能の一部または全部を行うようにデバイスの機能要素を制御するためのコードの１つまたは複数のセットを実行し得る。
【０１０７】
[0120]  図１１００は、サポートされる周波数帯域組合せフィールド１１０５を含み得る。サポートされる周波数帯域組合せ１１０５は、いくつかの例では、非Ｄ２Ｄ通信、例えば、ＣＡ通信のためにサポートされる周波数帯域の組合せのための、周波数帯域組合せパラメータ１１１０を含み得る。周波数帯域組合せパラメータ１１１０は、第１の周波数帯域のためのパラメータフィールド１１１５と、第２の周波数帯域のためのパラメータ１１２０と、近接サービス記録１１２５とを含み得る。第１および第２の周波数帯域は、非Ｄ２Ｄ通信のために使用される周波数帯域組合せを備え得る。図１１に示されているように、周波数帯域組合せパラメータ１１１０は、関連する近接サービス記録１１２５を含み得、近接サービス記録１１２５は、関連する周波数帯域組合せパラメータ１１１０に固有であり得る。
【０１０８】
[0121]  近接サービス記録１１２５は、Ｄ２Ｄ近接サービス通信のためにサポートされる周波数帯域についての能力低減記録を含み得る。例えば、第１の近接サービス記録１１２５は、それぞれ、周波数帯域インジケータ１、２、〜ｎに対応する能力低減記録１１４５、１１５０、および１１５５を含み得る。同様に、第２の近接サービス記録１１４０は、それぞれ、周波数帯域インジケータ１、２、〜ｎに対応する能力低減記録１１６０、１１６、および１１７０を含み得る。能力低減記録は、サポートされるＤ２Ｄ周波数帯域がＤ２Ｄ近接サービス通信のために使用されるとき、低減された非Ｄ２Ｄ通信能力を示す情報を含み得る。例えば、能力低減記録１１４５は、Ｄ２Ｄ周波数帯域１が、アクティブなＤ２Ｄ近接サービス通信のために使用されているとき、周波数帯域組合せパラメータ１１１０−ａを介した非Ｄ２Ｄ通信のための低減された能力を示す情報を含み得る。能力低減記録１１６０は、周波数帯域組合せパラメータ１１１０−ｂを介した非Ｄ２Ｄ通信のための低減された能力を搬送する。従って、サポートされる周波数帯域組合せ１１０５は、Ｄ２Ｄ近接サービス通信がアクティブであるとき、非Ｄ２Ｄ通信のためのサポートされる周波数帯域組合せ、ならびに非Ｄ２Ｄ通信のための能力の低減の指示を搬送し得る。
【０１０９】
[0122]  サポートされる周波数帯域リスト１０１０は、Ｄ２Ｄ近接サービス通信のためにサポートされる周波数帯域に関連する周波数帯域リストを含み得る。周波数帯域リストは、サポートされるＤ２Ｄ周波数帯域１０１５を示し、１つまたは複数の周波数帯域パラメータを含み得る。いくつかの例では、周波数帯域リスト１０１０は、ＵＥがＤ２Ｄ近接サービス通信のためにサポートするＤ２Ｄ周波数帯域１０１５についての記録を含み得る。
【０１１０】
[0123]  図１２は、本開示の様々な態様による、ワイヤレス通信のための方法１２００の一例を示すフローチャートである。明快のために、方法１２００について、図１、図６、図７、図８、図９、図１０、または図１１を参照しながら説明したＵＥのうちの１つまたは複数の態様、および／あるいは図２、図３、図４、または図５を参照しながら説明したデバイスのうちの１つまたは複数の態様を参照しながら以下で説明する。いくつかの例では、ＵＥが、以下で説明する機能を行うようにＵＥの機能要素を制御するためのコードの１つまたは複数のセットを実行し得る。追加または代替として、ＵＥは、専用ハードウェアを使用して、以下で説明する機能のうちの１つまたは複数を行い得る。
【０１１１】
[0124]  ブロック１２０５において、方法１２００は、ＵＥが、Ｄ２Ｄ近接サービス通信のためにサポートされる１つまたは複数の周波数帯域を識別することを含み得る。Ｄ２Ｄ周波数帯域は、周波数帯域リスト中で識別され得る。ブロック１２１０において、ＵＥは、識別されたＤ２Ｄ周波数帯域に基づいて、周波数帯域組合せパラメータについての近接サービス記録を決定する。周波数帯域組合せパラメータは、非Ｄ２Ｄ通信、例えばＣＡ通信のためにサポートされる周波数帯域の組合せに関連する情報を含み得る。近接サービス記録は、周波数帯域組合せパラメータについて、アクティブなＤ２Ｄ近接サービス通信が行われているとき、非Ｄ２Ｄ通信能力の低減を示し得る。
【０１１２】
[0125]  ブロック１２０５および１２１０における（１つまたは複数の）動作は、図２、図３、図４、または図５を参照しながら説明したＤ２Ｄシグナリングモジュール２１０／５１０を使用して行われ得る。
【０１１３】
[0126]  従って、方法１２００はワイヤレス通信を提供し得る。方法１２００は一実施形態にすぎないこと、および方法１２００の動作は、他の実施形態が可能であるように、並べ替えられるかまたは場合によっては変更され得ることに留意されたい。
【０１１４】
[0127]  図１３は、本開示の様々な態様による、ワイヤレス通信のための方法１３００の一例を示すフローチャートである。明快のために、方法１３００について、図１、図６、図７、図８、図９、図１０、または図１１を参照しながら説明した基地局、装置、および／またはサービングセルのうちの１つまたは複数の態様を参照しながら以下で説明する。いくつかの例では、基地局が、以下で説明する機能を行うように基地局の機能要素を制御するためのコードの１つまたは複数のセットを実行し得る。追加または代替として、基地局は、専用ハードウェアを使用して、以下で説明する機能のうちの１つまたは複数を行い得る。
【０１１５】
[0128]  ブロック１３０５において、方法１３００は、基地局が、周波数帯域組合せパラメータについての近接サービス記録を示す情報を受信することを含み得る。周波数帯域組合せパラメータは、モバイルデバイス（例えば、ＵＥ）のための非Ｄ２Ｄ通信と関連し得る。近接サービス記録は、周波数帯域組合せパラメータを介した非Ｄ２Ｄ通信のための低減された能力に関連する情報を搬送し得る。ブロック１３１０において、基地局は、近接サービス記録に基づいて、モバイルデバイスのために非Ｄ２Ｄ通信のための能力構成を決定する。例えば、基地局は、モバイルデバイスがアクティブなＤ２Ｄ近接サービス通信に関与するとき、モバイルデバイスが低減された非Ｄ２Ｄ通信能力をサポートすることが可能であると決定し得る。同様に、基地局は、モバイルデバイスがアクティブなＤ２Ｄ近接サービス通信にもはや関与しないとき、モバイルデバイスが完全非Ｄ２Ｄ通信能力をサポートすることが可能であると決定し得る。
【０１１６】
[0129]  ブロック１３０５および１３１０における（１つまたは複数の）動作は、図６、図７、または図８を参照しながら説明した非Ｄ２Ｄ能力モジュール６１０／８１０を使用して行われ得る。
【０１１７】
[0130]  従って、方法１３００はワイヤレス通信を提供し得る。方法１３００は一実施形態にすぎないこと、および方法１３００の動作は、他の実施形態が可能であるように、並べ替えられるかまたは場合によっては変更され得ることに留意されたい。
【０１１８】
[0131]  図１４は、本開示の様々な態様による、ワイヤレス通信のための方法１４００の一例を示すフローチャートである。明快のために、方法１４００について、図１、図６、図７、図８、図９、図１０、または図１１を参照しながら説明したＵＥのうちの１つまたは複数の態様、および／あるいは図２、図３、図４、または図５を参照しながら説明したデバイスのうちの１つまたは複数の態様を参照しながら以下で説明する。いくつかの例では、ＵＥが、以下で説明する機能を行うようにＵＥの機能要素を制御するためのコードの１つまたは複数のセットを実行し得る。追加または代替として、ＵＥは、専用ハードウェアを使用して、以下で説明する機能のうちの１つまたは複数を行い得る。
【０１１９】
[0132]  ブロック１４０５において、方法１２００は、ＵＥが、Ｄ２Ｄ近接サービス通信のためにサポートされる１つまたは複数の周波数帯域を識別することを含み得る。Ｄ２Ｄ周波数帯域は、周波数帯域リスト中で識別され得る。ブロック１４１０において、ＵＥは、識別されたＤ２Ｄ周波数帯域に基づいて、周波数帯域組合せパラメータについての近接サービス記録を決定する。周波数帯域組合せパラメータは、非Ｄ２Ｄ通信、例えばＣＡ通信のためにサポートされる周波数帯域の組合せに関連する情報を含み得る。
【０１２０】
[0133]  ブロック１４１５において、ＵＥは、Ｄ２Ｄ近接サービス通信のためにサポートされる周波数帯域について、周波数帯域組合せについての能力低減記録を決定する。能力低減記録は、周波数帯域組合せパラメータについて、およびサポートされるＤ２Ｄ周波数帯域について、アクティブなＤ２Ｄ近接サービス通信が行われているとき、非Ｄ２Ｄ通信能力の低減を示し得る。
【０１２１】
[0134]  ブロック１４２０において、ＵＥは、アクティブなＤ２Ｄ近接サービス通信が行われているかどうかを決定し得る。アクティブなＤ２Ｄ近接サービス通信が行われていない場合、ＵＥは、Ｄ２Ｄ近接サービス通信のアクティブ化を監視し続け得る。アクティブなＤ２Ｄ近接サービス通信が行われている場合、ブロック１４２５において、ＵＥは、ＵＥがアクティブなＤ２Ｄ近接サービス通信を開始したという指示を含む開始メッセージをサービングセルに送る。いくつかの例では、開始メッセージは、アクティブなＤ２Ｄ近接サービス通信中にサポートされる非Ｄ２Ｄ通信能力をサービングセルに通知するために、更新された近接サービス記録を含み得る。
【０１２２】
[0135]  ブロック１４０５、１４１０、１４１５、１４２０、および１４２５における（１つまたは複数の）動作は、図２、図３、図４、または図５を参照しながら説明したＤ２Ｄシグナリングモジュール２１０／５１０を使用して行われ得る。
【０１２３】
[0136]  従って、方法１４００はワイヤレス通信を提供し得る。方法１４００は一実施形態にすぎないこと、および方法１４００の動作は、他の実施形態が可能であるように、並べ替えられるかまたは場合によっては変更され得ることに留意されたい。
【０１２４】
[0137]  いくつかの例では、方法１２００、１３００、および／または１４００のうちの２つまたはそれ以上による態様は、組み合わせられ得る。方法１２００、１３００、および１４００は例示的な実施形態にすぎないこと、ならびに方法１２００〜１４００の動作は、他の実施形態が可能であるように、並べ替えられるかまたは場合によっては変更され得ることに留意されたい。
【０１２５】
[0138]  本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実施し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実施し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、無認可および／または共有帯域幅を介したセルラー（例えば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１２６】
[0139]  添付の図面に関して上記に記載された詳細な説明は、例について説明しており、実施され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明する例の概念を不明瞭にすることを回避するために、よく知られている構造および装置がブロック図の形式で示されている。
【０１２７】
[0140]  情報および信号は、多種多様な技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２８】
[0141]  本明細書の開示に関して説明する様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明する機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成としても実施され得る。
【０１２９】
[0142]  本明細書で説明する機能は、ハードウェア、プロセッサによって実行されるソフトウェア、ファームウェア、またはそれらの組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実施形態が、本開示および添付の特許請求の範囲および趣旨内に入る。例えば、ソフトウェアの性質により、上記で説明した機能は、プロセッサ、ハードウェア、ファームウェア、ハードワイヤリング、またはこれらのうちのいずれかの組合せによって実行されるソフトウェアを使用して実施され得る。機能を実施する特徴はまた、異なる物理ロケーションにおいて機能の部分が実施されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。例えば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（例えば、「のうちの少なくとも１つ」あるいは「のうちの１つまたは複数」などの句で終わる項目の列挙）中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３０】
[0143]  コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３１】
[0144]  本開示についての以上の説明は、当業者が本開示を作成または使用できるように与えたものである。本開示への様々な修正は当業者には容易に明らかとなり、本明細書で定義した一般原理は、本開示の範囲から逸脱することなく他の変形形態に適用され得る。従って、本開示は、本明細書で説明する例および設計に限定されるべきでなく、本明細書で開示する原理および新規の特徴に一致する最も広い範囲を与えられるべきである。
以下に本願の出願当初の特許請求の範囲に記載された発明を付記する。
［Ｃ１］
デバイスツーデバイス（Ｄ２Ｄ）近接サービス通信のために構成された１つまたは複数の周波数帯域を識別することと、
前記識別された１つまたは複数の周波数帯域に基づいて、周波数帯域組合せパラメータについての近接サービス記録を決定することであって、前記周波数帯域組合せパラメータは非Ｄ２Ｄ通信に関連する、決定することとを備える、ワイヤレス通信のための方法。
［Ｃ２］
前記識別された１つまたは複数の周波数帯域に基づいて、近接サービス周波数帯域リストを決定することと、
サービングセルに、前記近接サービス周波数帯域リストを示す情報を備える近接サービス能力記録を送ることとをさらに備える、Ｃ１に記載の方法。
［Ｃ３］
前記近接サービス能力記録を決定することは、
Ｄ２Ｄ近接サービス通信に関連する１つまたは複数の近接サービス通信パラメータを決定することをさらに備える、Ｃ２に記載の方法。
［Ｃ４］
前記１つまたは複数の近接サービスパラメータが、Ｄ２Ｄ発見タイプ能力、非同期Ｄ２Ｄ発見能力、カバレージ外発見能力、Ｄ２Ｄ通信モード能力のうちの１つまたは複数、あるいはそれらの組合せを備えると決定することをさらに備える、Ｃ３に記載の方法。
［Ｃ５］
前記近接サービス記録を決定することは、
周波数帯域組合せを使用して前記非Ｄ２Ｄ通信のための第１の能力構成を決定することと、
Ｄ２Ｄ近接サービス通信のために構成された前記識別された１つまたは複数の周波数帯域に基づいて、前記非Ｄ２Ｄ通信のための第２の能力構成を決定することとを備える、Ｃ１に記載の方法。
［Ｃ６］
前記第２の能力構成を決定することは、
Ｄ２Ｄ近接サービス通信のために構成された前記１つまたは複数の周波数帯域について、前記周波数帯域組合せについての能力低減記録を決定することを備える、Ｃ５に記載の方法。
［Ｃ７］
前記能力低減記録は、前記識別された１つまたは複数の周波数帯域のうちの少なくとも１つがＤ２Ｄ近接サービス通信のために使用されるとき、低減された非Ｄ２Ｄ通信能力を示す情報を含む、Ｃ６に記載の方法。
［Ｃ８］
前記周波数帯域組合せについての前記能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータのうちの１つまたは複数、あるいはそれらの組合せを備える、Ｃ６に記載の方法。
［Ｃ９］
サービングセルに、Ｄ２Ｄ近接サービスがアクティブであることを示す情報を含む開始メッセージを送ることをさらに備える、Ｃ１に記載の方法。
［Ｃ１０］
前記開始メッセージは、前記周波数帯域組合せパラメータについての更新された近接サービス記録をさらに備え、前記更新された近接サービス記録は、前記アクティブなＤ２Ｄ近接サービス通信のために使用される前記１つまたは複数の周波数帯域に基づく、Ｃ９に記載の方法。
［Ｃ１１］
Ｄ２Ｄ近接サービスがアクティブであることに基づいて、非Ｄ２Ｄ通信のための低減された能力を決定することをさらに備える、Ｃ９に記載の方法。
［Ｃ１２］
前記サービングセルから、非Ｄ２Ｄ通信のための前記低減された能力のために利用するためのリソースの指示を備える無線リソース制御（ＲＲＣ）接続再構成メッセージを受信することをさらに備える、Ｃ１１に記載の方法。
［Ｃ１３］
ＲＲＣ接続再構成プロシージャ中の所定の時間期間の間、非Ｄ２Ｄ通信を休止することをさらに備える、Ｃ１２に記載の方法。
［Ｃ１４］
Ｄ２Ｄ近接サービス通信に関連するリソースのプールが与えられたとき、Ｄ２Ｄ近接サービスがアクティブであることに基づいて、非Ｄ２Ｄ通信のための低減された能力構成を決定することをさらに備える、Ｃ９に記載の方法。
［Ｃ１５］
無線周波数同調動作を行うために、所定の時間期間の間、非Ｄ２Ｄ通信を休止すること、ここにおいて、前記休止することは、Ｄ２Ｄ近接サービス通信のためのリソースの前記プールにアクセスする前および後に行われる、をさらに備える、Ｃ１４に記載の方法。
［Ｃ１６］
サービングセルに、Ｄ２Ｄ近接サービスが非アクティブであることを示す情報を含む停止メッセージを送ることをさらに備える、Ｃ１に記載の方法。
［Ｃ１７］
前記停止メッセージは、前記周波数帯域組合せパラメータについての更新された近接サービス記録をさらに備え、前記更新された近接サービス記録は、前記非アクティブなＤ２Ｄ近接サービス通信により利用可能である前記１つまたは複数の周波数帯域に基づく、Ｃ１６に記載の方法。
［Ｃ１８］
Ｄ２Ｄ近接サービスが非アクティブであることに基づいて、Ｄ２Ｄ近接サービス通信のための完全能力構成を決定することをさらに備える、Ｃ１６に記の方法。
［Ｃ１９］
前記非Ｄ２Ｄ通信は、キャリアアグリゲーション通信を備える、Ｃ１に記載の方法。
［Ｃ２０］
プロセッサと、
前記プロセッサと電子通信しているメモリと、
前記メモリに記憶されている命令とを備え、前記命令は、
デバイスツーデバイス（Ｄ２Ｄ）近接サービス通信のために構成された１つまたは複数の周波数帯域を識別することと、
前記識別された１つまたは複数の周波数帯域に基づいて、周波数帯域組合せパラメータについての近接サービス記録を決定することであって、前記周波数帯域組合せパラメータが非Ｄ２Ｄ通信に関連する、決定することとを行うように前記プロセッサによって実行可能である、ワイヤレス通信のための装置。
［Ｃ２１］
前記識別された１つまたは複数の周波数帯域に基づいて、近接サービス周波数帯域リストを決定することと、
サービングセルに、前記近接サービス周波数帯域リストを示す情報を備える近接サービス能力記録を送ることとを行うように前記プロセッサによって実行可能な命令をさらに備える、Ｃ２０に記載の装置。
［Ｃ２２］
前記近接サービス能力記録を決定するように実行可能な前記命令は、
Ｄ２Ｄ近接サービス通信に関連する１つまたは複数の近接サービス通信パラメータを決定することを行うようにさらに実行可能である、Ｃ２１に記載の装置。
［Ｃ２３］
前記１つまたは複数の近接サービスパラメータは、Ｄ２Ｄ発見タイプ能力、非同期Ｄ２Ｄ発見能力、カバレージ外発見能力、Ｄ２Ｄ通信モード能力のうちの１つまたは複数、あるいはそれらの組合せを備えると決定することを行うように前記プロセッサによって実行可能な命令をさらに備える、Ｃ２２に記載の装置。
［Ｃ２４］
前記近接サービス記録を決定するように実行可能な前記命令は、
周波数帯域組合せを使用して前記非Ｄ２Ｄ通信のための第１の能力構成を決定することと、
Ｄ２Ｄ近接サービス通信のために構成された前記識別された１つまたは複数の周波数帯域に基づいて、前記非Ｄ２Ｄ通信のための第２の能力構成を決定することとを行うようにさらに実行可能である、Ｃ２０に記載の装置。
［Ｃ２５］
前記第２の能力構成を決定するように実行可能な前記命令は、
Ｄ２Ｄ近接サービス通信のために構成された前記１つまたは複数の周波数帯域について、前記周波数帯域組合せについての能力低減記録を決定することを行うようにさらに実行可能である、Ｃ２４に記載の装置。
［Ｃ２６］
前記能力低減記録は、前記識別された１つまたは複数の周波数帯域のうちの少なくとも１つがＤ２Ｄ近接サービス通信のために使用されるとき、低減された非Ｄ２Ｄ通信能力を示す情報を含む、Ｃ２４に記載の装置。
［Ｃ２７］
前記周波数帯域組合せについての前記能力低減記録は、同時Ｄ２Ｄおよび非Ｄ２Ｄ送信能力インジケータ、同時Ｄ２Ｄおよび非Ｄ２Ｄ受信能力インジケータ、隣接帯域内アップリンク帯域幅低減インジケータ、隣接帯域内ダウンリンク帯域幅低減インジケータ、測定能力インジケータのうちの１つまたは複数、あるいはそれらの組合せを備える、Ｃ２４に記載の装置。
［Ｃ２８］
サービングセルに、Ｄ２Ｄ近接サービスがアクティブであることを示す情報を含む開始メッセージを送ることを行うように前記プロセッサによって実行可能な命令をさらに備える、Ｃ２０に記載の装置。
［Ｃ２９］
デバイスツーデバイス（Ｄ２Ｄ）近接サービス通信のために構成された１つまたは複数の周波数帯域を識別するための手段と、
前記識別された１つまたは複数の周波数帯域に基づいて、周波数帯域組合せパラメータについての近接サービス記録を決定するための手段であって、前記周波数帯域組合せパラメータは非Ｄ２Ｄ通信に関連する、決定するための手段とを備える、ワイヤレス通信のための装置。
［Ｃ３０］
前記識別された１つまたは複数の周波数帯域に基づいて、近接サービス周波数帯域リストを決定するための手段と、
サービングセルに、前記近接サービス周波数帯域リストを示す情報を備える近接サービス能力記録を送るための手段とをさらに備える、Ｃ２９に記載の装置。
［Ｃ３１］
前記近接サービス能力記録を決定するための前記手段は、
Ｄ２Ｄ近接サービス通信に関連する１つまたは複数の近接サービス通信パラメータを決定するための手段をさらに備える、Ｃ３０に記載の装置。
［Ｃ３２］
前記１つまたは複数の近接サービスパラメータが、Ｄ２Ｄ発見タイプ能力、非同期Ｄ２Ｄ発見能力、カバレージ外発見能力、Ｄ２Ｄ通信モード能力のうちの１つまたは複数、あるいはそれらの組合せを備えると決定するための手段をさらに備える、Ｃ３１に記載の装置。
［Ｃ３３］
前記近接サービス記録を決定するための前記手段は、
周波数帯域組合せを使用して前記非Ｄ２Ｄ通信のための第１の能力構成を決定するための手段と、
Ｄ２Ｄ近接サービス通信のために構成された前記識別された１つまたは複数の周波数帯域に基づいて、前記非Ｄ２Ｄ通信のための第２の能力構成を決定するための手段とを備える、Ｃ２９に記載の装置。
［Ｃ３４］
ワイヤレス通信のためのコンピュータ実行可能なコードを記憶する非一時的コンピュータ可読媒体であって、前記コードは、
デバイスツーデバイス（Ｄ２Ｄ）近接サービス通信のために構成された１つまたは複数の周波数帯域を識別することと、
前記識別された１つまたは複数の周波数帯域に基づいて、周波数帯域組合せパラメータについての近接サービス記録を決定することであって、前記周波数帯域組合せパラメータは非Ｄ２Ｄ通信に関連する、決定することとを行うようにプロセッサによって実行可能である、非一時的コンピュータ可読媒体。
［Ｃ３５］
周波数帯域組合せパラメータについての近接サービス記録を示す情報を受信することであって、前記周波数帯域組合せパラメータはモバイルデバイスのための非デバイスツーデバイス（Ｄ２Ｄ）通信に関連する、受信することと、
前記近接サービス記録に基づいて、前記モバイルデバイスの非Ｄ２Ｄ通信のための能力構成を決定することとを備える、ワイヤレス通信のための方法。
［Ｃ３６］
前記近接サービス記録は、前記周波数帯域組合せパラメータについての能力低減記録を備える、Ｃ３５に記載の方法。
［Ｃ３７］
前記能力低減記録は、Ｄ２Ｄ近接サービス通信に関連する１つまたは複数の周波数帯域のうちの少なくとも１つが使用中であるとき、低減された非Ｄ２Ｄ通信能力を示す情報を含む、Ｃ３６に記載の方法。
［Ｃ３８］
前記周波数帯域組合せについての前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、Ｃ３７に記載の方法。
［Ｃ３９］
前記モバイルデバイスから、Ｄ２Ｄ近接サービス通信がアクティブであるという開始メッセージを受信することをさらに備える、Ｃ３５に記載の方法。
［Ｃ４０］
前記開始メッセージは、前記周波数帯域組合せパラメータについての更新された近接サービス記録をさらに備え、前記更新された近接サービス記録は、前記アクティブなＤ２Ｄ近接サービス通信のために使用される１つまたは複数の周波数帯域に基づく、Ｃ３９に記載の方法。
［Ｃ４１］
前記Ｄ２Ｄ近接サービス通信がアクティブであることに基づいて、非Ｄ２Ｄ通信のための低減された能力を決定することをさらに備える、Ｃ３９に記載の方法。
［Ｃ４２］
前記モバイルデバイスから、Ｄ２Ｄ近接サービス通信が非アクティブであるという停止メッセージを受信することをさらに備える、Ｃ３５に記載の方法。
［Ｃ４３］
前記停止メッセージは、前記周波数帯域組合せパラメータについての更新された近接サービス記録をさらに備え、前記更新された近接サービス記録は、前記非アクティブなＤ２Ｄ近接サービス通信により利用可能である、Ｄ２Ｄ近接サービス通信に関連する１つまたは複数の周波数帯域に基づく、Ｃ４２に記載の方法。
［Ｃ４４］
前記Ｄ２Ｄ近接サービス通信が非アクティブであることに基づいて、非Ｄ２Ｄ通信のための完全能力構成を決定することをさらに備える、Ｃ４２に記載の方法。
［Ｃ４５］
前記近接サービス記録に基づいて、前記モバイルデバイスのための１つまたは複数のリソースをスケジュールすることをさらに備える、Ｃ３５に記載の方法。
［Ｃ４６］
前記近接サービス記録を示す前記情報は、前記モバイルデバイスから受信される、Ｃ３５に記載の方法。
［Ｃ４７］
前記近接サービス記録を示す前記情報は、ネットワークエンティティから受信される、Ｃ３５に記載の方法。
［Ｃ４８］
近接サービス周波数帯域リストと、１つまたは複数の近接サービス通信パラメータとを示す情報を備える近接サービス能力記録を受信することをさらに備える、Ｃ３５に記載の方法。
［Ｃ４９］
前記１つまたは複数の近接サービスパラメータは、Ｄ２Ｄ発見タイプ能力と、非同期Ｄ２Ｄ発見能力と、カバレージ外発見能力と、Ｄ２Ｄ通信モード能力とのうちの１つまたは複数を備える、Ｃ４８に記載の方法。
［Ｃ５０］
プロセッサと、
前記プロセッサと電子通信しているメモリと、
前記メモリに記憶されている命令とを備え、前記命令は、
周波数帯域組合せパラメータについての近接サービス記録を示す情報を受信することであって、前記周波数帯域組合せパラメータはモバイルデバイスのための非デバイスツーデバイス（Ｄ２Ｄ）通信に関連する、受信することと、
前記近接サービス記録に基づいて、前記モバイルデバイスの非Ｄ２Ｄ通信のための能力構成を決定することとを行うように前記プロセッサによって実行可能である、ワイヤレス通信のための装置。
［Ｃ５１］
前記近接サービス記録は、前記周波数帯域組合せパラメータについての能力低減記録を備える、Ｃ５０に記載の装置。
［Ｃ５２］
前記能力低減記録は、Ｄ２Ｄ近接サービス通信に関連する１つまたは複数の周波数帯域のうちの少なくとも１つが使用中であるとき、低減された非Ｄ２Ｄ通信能力を示す情報を含む、Ｃ５１に記載の装置。
［Ｃ５３］
前記周波数帯域組合せについての前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、Ｃ５１に記載の装置。
［Ｃ５４］
前記モバイルデバイスから、Ｄ２Ｄ近接サービス通信がアクティブであるという開始メッセージを受信することを行うように前記プロセッサによって実行可能な命令をさらに備える、Ｃ５０に記載の装置。
［Ｃ５５］
前記開始メッセージは、前記周波数帯域組合せパラメータについての更新された近接サービス記録をさらに備え、前記更新された近接サービス記録は、前記アクティブなＤ２Ｄ近接サービス通信のために使用される１つまたは複数の周波数帯域に基づく、Ｃ５４に記載の装置。
［Ｃ５６］
前記Ｄ２Ｄ近接サービス通信がアクティブであることに基づいて、非Ｄ２Ｄ通信のための低減された能力を決定することを行うように前記プロセッサによって実行可能な命令をさらに備える、Ｃ５４に記載の装置。
［Ｃ５７］
前記モバイルデバイスから、Ｄ２Ｄ近接サービス通信が非アクティブであるという停止メッセージを受信することを行うように前記プロセッサによって実行可能な命令をさらに備える、Ｃ５０に記載の装置。
［Ｃ５８］
前記停止メッセージは、前記周波数帯域組合せパラメータについての更新された近接サービス記録をさらに備え、前記更新された近接サービス記録は、前記非アクティブなＤ２Ｄ近接サービス通信により利用可能である、Ｄ２Ｄ近接サービス通信に関連する１つまたは複数の周波数帯域に基づく、Ｃ５７に記載の装置。
［Ｃ５９］
前記Ｄ２Ｄ近接サービス通信が非アクティブであることに基づいて、非Ｄ２Ｄ通信のための完全能力構成を決定することを行うように前記プロセッサによって実行可能な命令をさらに備える、Ｃ５７に記載の装置。
［Ｃ６０］
前記近接サービス記録に基づいて、前記モバイルデバイスのための１つまたは複数のリソースをスケジュールすることを行うように前記プロセッサによって実行可能な命令をさらに備える、Ｃ５０に記載の装置。
［Ｃ６１］
周波数帯域組合せパラメータについての近接サービス記録を示す情報を受信するための手段であって、前記周波数帯域組合せパラメータはモバイルデバイスのための非デバイスツーデバイス（Ｄ２Ｄ）通信に関連する、受信するための手段と、
前記近接サービス記録に基づいて、前記モバイルデバイスの非Ｄ２Ｄ通信のための能力構成を決定するための手段とを備える、ワイヤレス通信のための装置。
［Ｃ６２］
前記近接サービス記録は、前記周波数帯域組合せパラメータについての能力低減記録を備える、Ｃ６１に記載の装置。
［Ｃ６３］
前記能力低減記録は、Ｄ２Ｄ近接サービス通信に関連する１つまたは複数の周波数帯域のうちの少なくとも１つが使用中であるとき、低減された非Ｄ２Ｄ通信能力を示す情報を含む、Ｃ６２に記載の装置。
［Ｃ６４］
前記周波数帯域組合せについての前記能力低減記録は、同時Ｄ２Ｄおよび非Ｄ２Ｄ送信能力インジケータと、同時Ｄ２Ｄおよび非Ｄ２Ｄ受信能力インジケータと、隣接帯域内アップリンク帯域幅低減インジケータと、隣接帯域内ダウンリンク帯域幅低減インジケータと、測定能力インジケータとのうちの１つまたは複数を備える、Ｃ６３に記載の装置。
［Ｃ６５］
前記モバイルデバイスから、Ｄ２Ｄ近接サービス通信がアクティブであるという開始メッセージを受信するための手段をさらに備える、Ｃ６１に記載の装置。
［Ｃ６６］
ワイヤレス通信のためのコンピュータ実行可能なコードを記憶する非一時的コンピュータ可読媒体であって、前記コードは、
周波数帯域組合せパラメータについての近接サービス記録を示す情報を受信することであって、前記周波数帯域組合せパラメータはモバイルデバイスのための非デバイスツーデバイス（Ｄ２Ｄ）通信に関連する、受信することと、
前記近接サービス記録に基づいて、前記モバイルデバイスの非Ｄ２Ｄ通信のための能力構成を決定することとを行うようにプロセッサによって実行可能である、非一時的コンピュータ可読媒体。
【図１】
0006640188.tif 000002
【図２】
0006640188.tif 000003
【図３】
0006640188.tif 000004
【図４】
0006640188.tif 000005
【図５】
0006640188.tif 000006
【図６】
0006640188.tif 000007
【図７】
0006640188.tif 000008
【図８】
0006640188.tif 000009
【図９】
0006640188.tif 000010
【図１０】
0006640188.tif 000011
【図１１】
0006640188.tif 000012
【図１２】
0006640188.tif 000013
【図１３】
0006640188.tif 000014
【図１４】
0006640188.tif 000015